(57)【特許請求の範囲】
【請求項１】
各キャリアに対応する時分割二重アップ／ダウンリンク構成（ＴＤＤアップ／ダウンリンク構成）に基づいて、現在アップリンクサブフレームにてＡＣＫ／ＮＡＣＫフィードバックされるべきサブフレーム数Ｍを確定するステップであって、前記サブフレーム数Ｍが、それぞれ各キャリアに対応する前記ＴＤＤアップ／ダウンリンク構成に基づいて確定した、各キャリアにおける現在アップリンクサブフレームにてＡＣＫ／ＮＡＣＫフィードバックされるべきサブフレーム数の最大値であり、前記ＴＤＤアップ／ダウンリンク構成は、端末設備（ＵＥ）が前記キャリアのＡＣＫ／ＮＡＣＫフィードバック情報を報告するタイミング関係を確定するためのものであり、前記各キャリアのうち少なくとも１つのＦＤＤキャリア及び少なくとも１つのＴＤＤキャリアが備えられる、前記確定ステップと、
前記Ｍ値に基づいて、現在アップリンクサブフレームにて伝送するＡＣＫ／ＮＡＣＫフィードバック情報を確定するステップと、
前記Ｍ値に基づいて、チャネル選択の候補チャネルリソースを確定するステップと、
前記候補チャネルリソースにおいて、チャネル選択にかかる物理アップリンク制御チャネルＰＵＣＣＨフォーマットｆｏｒｍａｔ  １ｂにより、前記ＡＣＫ／ＮＡＣＫフィードバック情報を伝送するステップと、を備え、
前記Ｍ値に基づいて現在アップリンクサブフレームにて伝送するＡＣＫ／ＮＡＣＫフィードバック情報の確定することは、
各ダウンリンクキャリアに対して、Ｑ*ＭビットのＡＣＫ／ＮＡＣＫフィードバック情報を発生することと、
前記ダウンリンクキャリアに対応するＴＤＤアップ／ダウンリンク構成に基づいて確定した、現在アップリンクサブフレームにてＡＣＫ／ＮＡＣＫフィードバックされるべきサブフレーム個数ＡがＭ値より小さい場合、前記ダウンリンクキャリアに対応する現在アップリンクサブフレームにてＡＣＫ／ＮＡＣＫフィードバックされるべきＡ個のサブフレームのＡＣＫ／ＮＡＣＫフィードバック情報を前記ダウンリンクキャリアのＱ*ＭビットのＡＣＫ／ＮＡＣＫフィードバック情報シーケンスの前のＱ＊Ａビットの位置にマッピングし、かつ、Ｑ＊Ａビット後のＱ＊（Ｍ―Ａ）ビットのＮＡＣＫ／ＤＴＸに補充し、ここで、前記ダウンリンクキャリアに対応する現在アップリンクサブフレームにてＡＣＫ／ＮＡＣＫフィードバックされるべきＡ個のサブフレームにおける、物理ダウンリンク共有チャネル（ＰＤＳＣＨ）および／またはダウンリンク半永続スケジューリング（ＳＰＳ）リソースにリリースを指示する物理ダウンリンク制御チャネル（ＰＤＣＣＨ）を受信していないサブフレームに対して、ＱビットＮＡＣＫ／ＤＴＸを発生させ、フィードバック情報とすることとを備え、
ここで、Ｍ＝１かつ前記ダウンリンクキャリアがマルチコードワード伝送モードである場合、Ｑ＝２であり、Ｍ＝１かつ前記ダウンリンクキャリアがマルチコードワード伝送モードであるとの条件を満たさない場合、Ｑ＝１である
ことを特徴とするキャリア・アグリゲーションフィードバック方法。
【請求項２】
前記Ｍは、ＭＰとＭＳの最大値であり、
ここで、前記ＭＰは、プライマリーキャリア（ＰＣＣ）に対応する、前記ＴＤＤアップ／ダウンリンク構成に基づいて確定した、前記キャリアにおける現在アップリンクサブフレームにてＡＣＫ／ＮＡＣＫフィードバックされるべきサブフレーム数であり、
前記ＭＳは、セカンダリーキャリア（ＳＣＣ）に対応する前記ＴＤＤアップ／ダウンリンク構成に基づいて確定した、前記キャリアにおける現在アップリンクサブフレームにてＡＣＫ／ＮＡＣＫフィードバックされるべきサブフレーム数であり、
前記キャリアにおける現在アップリンクサブフレームにてＡＣＫ／ＮＡＣＫフィードバックされるべきサブフレーム数は、
前記キャリアに対応する前記ＴＤＤアップ／ダウンリンク構成に基づいて確定した、現在アップリンクサブフレームに対応する前記キャリアにおけるサブフレーム集合内のサブフレーム個数であるか、
または、前記キャリアに対応する前記ＴＤＤアップ／ダウンリンク構成に基づいて確定した、現在アップリンクサブフレームに対応する前記キャリアにおけるサブフレーム集合内のダウンリンクサブフレーム個数であるか、
または、前記キャリアに対応する前記ＴＤＤアップ／ダウンリンク構成に基づいて確定した、現在アップリンクサブフレームに対応する前記キャリアにおけるサブフレーム集合内のスケジューリングシグナルを獲得できないダウンリンクサブフレームおよび／または伝送方向がアップリンクであると確定したダウンリンクサブフレームを除くダウンリンクサブフレーム個数であるか、
または、前記キャリアに対応する前記ＴＤＤアップ／ダウンリンク構成に基づいて、現在アップリンクサブフレームに対応するダウンリンクインデックス集合がないと確定した場合、前記キャリアにおける現在アップリンクサブフレームにてＡＣＫ／ＮＡＣＫフィードバックされるべきサブフレーム数０であり、ここで、前記キャリアにおけるサブフレーム集合は、前記キャリアに対応する前記ＴＤＤアップ／ダウンリンク構成に基づいて確定した、現在アップリンクサブフレームに対応するダウンリンクインデックス集合内の各エレメントにより確定した前記キャリアにおける各サブフレームの集合であり、
前記ＵＥがＡＣＫ／ＮＡＣＫフィードバック情報を報告するタイミング関係は、ＡＣＫ／ＮＡＣＫフィードバックを実行しなければならないダウンリンクサブフレームと前記ダウンリンクサブフレームのＡＣＫ／ＮＡＣＫフィードバック情報を伝送するアップリンクサブフレームとの対応関係であることを特徴とする請求項１に記載のキャリア・アグリゲーションフィードバック方法。
【請求項３】
前記Ｍ値に基づくチャネル選択の候補チャネルリソースの確定は、
ＰＣＣにおいて伝送する、ＰＤＣＣＨに対応するＰＤＳＣＨのチャネル選択の候補チャネルリソース、および／またはＰＣＣにおいて伝送する、ダウンリンクＳＰＳリソースのリリースを指示するＰＤＣＣＨのチャネル選択の候補チャネルリソースを確定する場合、ＰＤＣＣＨの最小制御チャネルエレメント（ＣＣＥ）ナンバーに基づいて、チャネルリソースを確定することと、
または、
ＰＣＣにおいて伝送する、ＰＤＣＣＨに対応しないＰＤＳＣＨのチャネル選択の候補チャネルリソースを確定する場合、前記ＰＤＳＣＨ活性化を指示するＰＤＣＣＨにおける発送電力制御フィールド（ＴＰＣフィールド）に基づいて、チャネルリソースを確定し、前記ＴＰＣフィールドは、上位層シグナルが事前に設定した複数組チャネルリソースにおける１組または複数チャネルリソースにおける１個を指し示すものであることと、
または、
ＳＣＣにおいて伝送する、ＰＤＣＣＨに対応するＰＤＳＣＨのチャネル選択の候補チャネルリソースを確定する場合、ＰＤＣＣＨにおけるＴＰＣフィールドに基づいて、チャネルリソースを確定することと、
または、ＳＣＣにおいて伝送する、ＰＤＣＣＨに対応するＰＤＳＣＨの場合、前記ＰＤＣＣＨをＰＣＣにおける前記ＭＰ個ダウンリンクサブフレームの使用可能ダウンリンクサブフレームにて伝送すれば、前記ＰＤＣＣＨの最小ＣＣＥナンバーに基づいて、チャネルリソースを確定し、そうでない場合、前記ＰＤＣＣＨにおけるＴＰＣフィールドに基づいて、チャネルリソースを確定することと、
または、ＳＣＣにおいて伝送する、ＰＤＣＣＨに対応するＰＤＳＣＨのチャネル選択の候補チャネルリソースを確定する場合、前記ＭＰが０、前記ＭＳが０より大きい、かつ前記ＰＤＣＣＨをＰＣＣにて伝送すれば、前記ＰＤＣＣＨの最小ＣＣＥナンバーに基づいて、チャネルリソースを確定し、そうでない場合、前記ＰＤＣＣＨにおけるＴＰＣフィールドに基づいて、チャネルリソースを確定することとを備え、
前記ＴＰＣフィールドは、上位層シグナルが事前に設定した複数組チャネルリソースにおける１組または複数チャネルリソースにおける１個を指し示し、
前記Ｍ値が２より大きい場合、ＰＤＣＣＨの最小ＣＣＥナンバーに基づいて、チャネルリソースを確定し、前記ＰＤＣＣＨが、ＤＡＩ値が１であるＰＤＣＣＨまたはＤＡＩ値が２であるＰＤＣＣＨであることを特徴とする請求項２に記載のキャリア・アグリゲーションフィードバック方法。
【請求項４】
前記ＰＤＣＣＨの最小ＣＣＥナンバーに基づくチャネルリソースの確定は、＜数式１＞に基づいてチャネルリソースナンバーを確定することを備え、
【数１】
0006333349.tif 000029
ここで、ＭＰ０は、ＰＣＣに対応するシステム情報に設定したＴＤＤアップ／ダウンリンク構成に基づいて確定した、現在アップリンクサブフレームに対応するダウンリンクインデックス集合K:{k0,k1…kＭＰ0-1}におけるエレメント個数であり、
ｍは、ＰＣＣにおいて伝送するＰＤＣＣＨが位置するダウンリンクサブフレームＮ-kＭに対応するダウンリンクインデックスkＭの集合Ｋにおける位置インデックスであり、＜数式２＞を満足し、
【数２】
0006333349.tif 000030
cは｛０，１，２，３｝から選択し、且つ＜数式３＞、＜数式４＞を満たす値であり、
【数３】
0006333349.tif 000031
【数４】
0006333349.tif 000032
【数５】
0006333349.tif 000033
を特徴とする請求項３に記載のキャリア・アグリゲーションフィードバック方法。
【請求項５】
各キャリアに対応するアップ／ダウンリンク構成（ＴＤＤアップ／ダウンリンク構成）に基づいて、現在アップリンクサブフレームにてＡＣＫ／ＮＡＣＫフィードバックされるべきサブフレーム数Ｍを確定するステップであって、前記サブフレーム数Ｍは、それぞれ各キャリアに対応する前記ＴＤＤアップ／ダウンリンク構成に基づいて確定した、各キャリアにおける現在アップリンクサブフレームにてＡＣＫ／ＮＡＣＫフィードバックされるべきサブフレーム数の最大値であり、前記ＴＤＤアップ／ダウンリンク構成は、基地局が前記キャリアのＡＣＫ／ＮＡＣＫフィードバック情報を受信するタイミング関係を確定するためのものであり、前記各キャリアのうち少なくとも１つのＦＤＤキャリア及び少なくとも１つのＴＤＤキャリアが備えられる、前記確定ステップと、
前記Ｍ値に基づいて、チャネル選択の候補チャネルリソースを確定するステップと、  
前記候補チャネルリソースにおいて、チャネル選択にかかるＰＵＣＣＨ  ｆｏｒｍａｔ  １ｂにより、ＡＣＫ／ＮＡＣＫフィードバック情報を受信するステップとを備え、
前記候補チャネルリソースにおける、チャネル選択にかかるＰＵＣＣＨ  ｆｏｒｍａｔ  １ｂによるＡＣＫ／ＮＡＣＫフィードバック情報の受信は、
各ダウンリンクキャリアにおいてＱ*Ｍビットに対応するＡＣＫ／ＮＡＣＫフィードバック情報を確定するステップと、
前記ダウンリンクキャリアに対応する前記ＴＤＤアップ／ダウンリンク構成に基づいて確定した前記ダウンリンクキャリアにおける現在アップリンクサブフレームにてＡＣＫ／ＮＡＣＫフィードバックされるべきサブフレーム個数ＡがＭ値より小さい場合、前記ダウンリンクキャリアに対応する前記現在アップリンクサブフレームにてＡＣＫ／ＮＡＣＫフィードバックされるべきＡ個のサブフレームのＡＣＫ／ＮＡＣＫフィードバック情報を前記ダウンリンクキャリアのＱ*ＭビットのＡＣＫ／ＮＡＣＫフィードバック情報シーケンスの前のＱ＊Ａビットの位置にマッピングすることを確定するステップと、を備え
ここで、Ｍ＝１かつ前記ダウンリンクキャリアがマルチコードワード伝送モードである場合、Ｑ＝２であり、Ｍ＝１かつ前記ダウンリンクキャリアがマルチコードワード伝送モードであるとの条件を満たさない場合、Ｑ＝１であることを特徴とするキャリア・アグリゲーションフィードバック方法。
【請求項６】
前記Ｍは、ＭＰとＭＳの最大値であり、
前記ＭＰは、プライマリーキャリア（ＰＣＣ）に対応する前記ＴＤＤアップ／ダウンリンク構成に基づいて確定した、前記キャリアにおける現在アップリンクサブフレームにてＡＣＫ／ＮＡＣＫフィードバックされるべきサブフレーム数であり、
前記ＭＳは、セカンダリーキャリア（ＳＣＣ）に対応する前記ＴＤＤアップ／ダウンリンク構成に基づいて確定した、前記キャリアにおける現在アップリンクサブフレームにてＡＣＫ／ＮＡＣＫフィードバックされるべきサブフレーム数であり、
前記キャリアにおける現在アップリンクサブフレームにてＡＣＫ／ＮＡＣＫフィードバックされるべきサブフレーム数は、
前記キャリアに対応する前記ＴＤＤアップ／ダウンリンク構成に基づいて確定した、現在アップリンクサブフレームに対応する前記キャリアにおけるサブフレーム集合内のサブフレーム個数であるか、
または、前記キャリアに対応する前記ＴＤＤアップ／ダウンリンク構成に基づいて確定した、現在アップリンクサブフレームに対応する前記キャリアにおけるサブフレーム集合内のダウンリンクサブフレーム個数であるか、
または、前記キャリアに対応する前記ＴＤＤアップ／ダウンリンク構成に基づいて確定した、現在アップリンクサブフレームに対応する前記キャリアにおけるサブフレーム集合内の、スケジューリングシグナルを獲得できないダウンリンクサブフレームおよび／または伝送方向はアップリンクであると確定したダウンリンクサブフレームを除くダウンリンクサブフレーム個数であるか、
または、前記キャリアに対応する前記ＴＤＤアップ／ダウンリンク構成に基づいて、現在アップリンクサブフレームに対応するダウンリンクインデックス集合がないと確定した場合、前記キャリアにおける現在アップリンクサブフレームにてＡＣＫ／ＮＡＣＫフィードバックされるべきサブフレーム数は０であり、
ここで、前記キャリアにおけるサブフレーム集合は、前記キャリアに対応する前記ＴＤＤアップ／ダウンリンク構成に基づいて確定した、現在アップリンクサブフレームに対応するダウンリンクインデックス集合内の各エレメントにより確定した前記キャリアにおける各サブフレームの集合であり、
前記基地局がＡＣＫ／ＮＡＣＫフィードバック情報を受信するタイミング関係は、ＡＣＫ／ＮＡＣＫフィードバックを実行しなければならないダウンリンクサブフレームと前記ダウンリンクサブフレームのＡＣＫ／ＮＡＣＫフィードバックを伝送するアップリンクサブフレームとの対応関係であることを特徴とする請求項５に記載のキャリア・アグリゲーションフィードバック方法。
【請求項７】
前記Ｍ値に基づくチャネル選択の候補チャネルリソースの確定は、
ＰＣＣにおいて伝送するＰＤＣＣＨに対応するＰＤＳＣＨおよび／またはＰＣＣにおいて伝送するダウンリンクＳＰＳリソースのリリースを指示するＰＤＳＣＨのチャネル選択の候補チャネルリソースを確定する場合、ＰＤＣＣＨの最小制御チャネルエレメント（ＣＣＥ）ナンバーに基づいて、チャネルリソースを確定するステップと、
ＰＣＣにおいて伝送する、ＰＤＣＣＨに対応しないＰＤＳＣＨのチャネル選択の候補チャネルリソースを確定する場合、前記ＰＤＳＣＨ活性化を指示するＰＤＣＣＨにおける発送電力制御フィールド（ＴＰＣフィールド）に基づいて、チャネルリソースを確定し、  ここで、前記ＴＰＣフィールドは、上位層シグナルが事前に設定した複数組チャネルリソースにおける１組または複数チャネルリソースにおける１個を指し示すステップと、
ＳＣＣにおいて伝送する、ＰＤＣＣＨに対応するＰＤＳＣＨのチャネル選択の候補チャネルリソースを確定する場合、ＰＤＣＣＨにおけるＴＰＣフィールドに基づいて、チャネルリソースを確定するか、または、ＳＣＣにおいて伝送する、ＰＤＣＣＨに対応するＰＤＳＣＨのチャネル選択の候補チャネルリソースを確定する場合、前記ＰＤＣＣＨをＰＣＣにおけるＭＰ個サブフレームにおける使用可能ダウンリンクサブフレームにて伝送すれば、前記ＰＤＳＣＨに対応するチャネルリソースＰＤＣＣＨの最小ＣＣＥナンバーに基づいて、チャネルリソースを確定し、そうでない場合は、ＰＤＣＣＨにおけるＴＰＣフィールドに基づいて、チャネルリソースを確定するか、または、ＳＣＣにおいて伝送する、ＰＤＣＣＨに対応するＰＤＳＣＨのチャネル選択の候補チャネルリソースを確定する場合、前記ＭＰが０であり前記ＭＳが０より大きいかつ前記ＰＤＣＣＨをＰＣＣにおいて伝送する場合、前記ＰＤＣＣＨの最小ＣＣＥナンバーに基づいて、チャネルリソースを確定し、ＭＰが０であり前記ＭＳが０より大きいかつ前記ＰＤＣＣＨをＰＣＣにおいて伝送するとの条件を満たさない場合は、前記ＰＤＣＣＨにおけるＴＰＣフィールドに基づいて、チャネルリソースを確定するステップとを備え、
ここで、前記ＴＰＣフィールドは、上位層シグナルが事前に設定した複数組チャネルリソースにおける１組または複数チャネルリソースにおける１個を指し示し、
前記Ｍ値が２より大きい場合、ＰＤＣＣＨの最小ＣＣＥナンバーに基づいて、チャネルリソースを確定し、前記ＰＤＣＣＨが、ＤＡＩ値が１であるＰＤＣＣＨまたはＤＡＩ値が２であるＰＤＣＣＨであることを特徴とする請求項６に記載のキャリア・アグリゲーションフィードバック方法。
【請求項８】
前記ＰＤＣＣＨの最小ＣＣＥナンバーに基づくチャネルリソースの確定は、＜数式６＞に基づいてチャネルリソースナンバーを確定するステップを備え、
【数６】
0006333349.tif 000034
ここで、ＭＰ０は、ＰＣＣに対応するシステム情報に設定したＴＤＤアップ／ダウンリンク構成に基づいて確定した、現在アップリンクサブフレームに対応するダウンリンクインデックス集合K:｛ｋ0、ｋ１…ｋＭｐ0-１｝におけるエレメント個数であり、
ｍは、ＰＣＣにおいて伝送するＰＤＣＣＨが位置するダウンリンクサブフレームｎ−ｋｍに対応するダウンリンクインデックスｋｍが集合Ｋにおける位置インデックスであり、＜数式７＞を満足し、
【数７】
0006333349.tif 000035
cは｛０，１，２，３｝から選択した、＜数式８＞、＜数式９＞を満たす値であり、
【数８】
0006333349.tif 000036
【数９】
0006333349.tif 000037
【数１０】
0006333349.tif 000038
を特徴とする請求項７に記載のキャリア・アグリゲーションフィードバック方法。
【請求項９】
各キャリアに対応するアップ／ダウンリンク構成（ＴＤＤアップ／ダウンリンク構成）に基づいて、現在アップリンクサブフレームにてＡＣＫ／ＮＡＣＫフィードバックされるべきサブフレーム数Ｍを確定するサブフレーム数確定ユニットであって、前記サブフレーム数Ｍが、それぞれ各キャリアに対応する前記ＴＤＤアップ／ダウンリンク構成に基づいて確定した、各キャリアにおける現在アップリンクサブフレームにてＡＣＫ／ＮＡＣＫフィードバックされるべきサブフレーム数の最大値であり、前記ＴＤＤアップ／ダウンリンク構成が、端末設備（ＵＥ）が前記キャリアのＡＣＫ／ＮＡＣＫフィードバック情報を報告するタイミング関係を確定するためのものであり、前記各キャリアのうち少なくとも１つのＦＤＤキャリア及び少なくとも１つのＴＤＤキャリアが備えられる、前記サブフレーム数確定ユニットと、
前記Ｍ値に基づいて、現在アップリンクサブフレームにて伝送するＡＣＫ／ＮＡＣＫフィードバック情報を確定する、フィードバック情報確定ユニットと、
前記Ｍ値に基づいて、チャネル選択の候補チャネルリソースを確定する、チャネルリソース確定ユニットと、
前記候補チャネルリソースにおいて、チャネル選択にかかる物理アップリンク制御チャネルＰＵＣＣＨフォーマットｆｏｒｍａｔ  １ｂにより前記ＡＣＫ／ＮＡＣＫフィードバック情報を伝送する、伝送ユニットとを備え、
前記フィードバック情報確定ユニットは、
各ダウンリンクキャリアに対してＱ*ＭビットのＡＣＫ／ＮＡＣＫフィードバック情報を発生させ、ここで、Ｍ＝１かつ当該ダウンリンクキャリアがマルチコードワード伝送モードである場合、Ｑ＝２であり、Ｍ＝１かつ当該ダウンリンクキャリアがマルチコードワード伝送モードであるとの条件を満たさない場合は、Ｑ＝１であり、
当該ダウンリンクキャリアに対応するＴＤＤアップ／ダウンリンク構成に基づいて確定した、前記ダウンリンクキャリアにおける現在アップリンクサブフレームにてＡＣＫ／ＮＡＣＫフィードバックされるべきサブフレーム個数ＡがＭ値より小さい場合、前記ダウンリンクキャリアに対応する前記現在アップリンクサブフレームにてＡＣＫ／ＮＡＣＫフィードバックされるべきサブフレームのＡＣＫ／ＮＡＣＫフィードバック情報を前記ダウンリンクキャリアのＱ*ＭビットのＡＣＫ／ＮＡＣＫフィードバック情報シーケンスの前のＱ＊Ａビットの位置にマッピングし、かつ、前記Ｑ＊Ａビット後のＱ＊（Ｍ―Ａ）ビットのＮＡＣＫ／ＤＴＸに補充し、ここで、前記ダウンリンクキャリアに対応する前記現在アップリンクサブフレームにてＡＣＫ／ＮＡＣＫフィードバックされるべきＡ個のサブフレームにおける物理ダウンリンク共有チャネル（ＰＤＳＣＨ）および／またはダウンリンク半永続スケジューリング（ＳＰＳ）リソースにリリースを指示する物理ダウンリンク制御チャネル（ＰＤＣＣＨ）を受信していないサブフレームＱビットＮＡＣＫ／ＤＴＸを発生させ、フィードバック情報とすることを特徴とするキャリア・アグリゲーションフィードバック装置。
【請求項１０】
前記Ｍは、ＭＰとＭＳの最大値であり、
前記ＭＰは、プライマリーキャリア（ＰＣＣ）に対応する前記ＴＤＤアップ／ダウンリンク構成に基づいて確定した前記キャリアにおける現在アップリンクサブフレームにてＡＣＫ／ＮＡＣＫフィードバックされるべきサブフレーム数であり、
前記ＭＳは、セカンダリーキャリア（ＳＣＣ）に対応する前記ＴＤＤアップ／ダウンリンク構成に基づいて確定した、前記キャリアにおける現在アップリンクサブフレームにてＡＣＫ／ＮＡＣＫフィードバックされるべきサブフレーム数であり、
前記キャリアにおける現在アップリンクサブフレームにてＡＣＫ／ＮＡＣＫフィードバックされるべきサブフレーム数は、
前記キャリアに対応する前記ＴＤＤアップ／ダウンリンク構成に基づいて確定した、現在アップリンクサブフレームに対応する前記キャリアにおけるサブフレーム集合内のサブフレーム個数であるか、
または、前記キャリアに対応する前記ＴＤＤアップ／ダウンリンク構成に基づいて確定した、現在アップリンクサブフレームに対応する前記キャリアにおけるサブフレーム集合内のダウンリンクサブフレーム個数であるか、
または、前記キャリアに対応する前記ＴＤＤアップ／ダウンリンク構成に基づいて確定した、現在アップリンクサブフレームに対応する前記キャリアにおけるサブフレーム集合内の、スケジューリングシグナルを獲得できないダウンリンクサブフレームおよび／または伝送方向はアップリンクであると確定したダウンリンクサブフレームを除くダウンリンクサブフレーム個数であるか、
または、前記キャリアに対応する前記ＴＤＤアップ／ダウンリンク構成に基づいて、現在アップリンクサブフレームに対応するダウンリンクインデックス集合がないと確定した場合、前記キャリアにおける現在アップリンクサブフレームにてＡＣＫ／ＮＡＣＫフィードバックされるべきサブフレーム数は０であり、
ここで、前記キャリアにおけるサブフレーム集合は、前記キャリアに対応する前記ＴＤＤアップ／ダウンリンク構成に基づいて確定した、現在アップリンクサブフレームに対応するダウンリンクインデックス集合内の各エレメントにより確定した前記キャリアにおける各サブフレームの集合であり、
前記ＵＥがＡＣＫ／ＮＡＣＫフィードバック情報を報告するタイミング関係は、ＡＣＫ／ＮＡＣＫフィードバックを実行しなければならないダウンリンクサブフレームと前記ダウンリンクサブフレームのＡＣＫ／ＮＡＣＫフィードバック情報を伝送するアップリンクサブフレームとの対応関係であることを特徴とする請求項９に記載のキャリア・アグリゲーションフィードバック装置。
【請求項１１】
前記チャネルリソース確定ユニットは、
ＰＣＣにおいて伝送するＰＤＣＣＨに対応するＰＤＳＣＨおよび／またはＰＣＣにおいて伝送するダウンリンクＳＰＳリソースのリリースを指示するＰＤＳＣＨのチャネル選択の候補チャネルリソースを確定する場合、前記ＰＤＣＣＨの最小制御チャネルエレメント（ＣＣＥ）ナンバーに基づいて、チャネルリソースを確定し、または
ＰＣＣにおいて伝送する、ＰＤＣＣＨに対応しないＰＤＳＣＨのチャネル選択の候補チャネルリソースを確定する場合、前記ＰＤＳＣＨ活性化を指示するＰＤＣＣＨにおける発送電力制御フィールド（ＴＰＣフィールド）に基づいて、チャネルリソースを確定し、ここで、前記ＴＰＣフィールドは、上位層シグナルが事前に設定した複数組チャネルリソースにおける１組または複数チャネルリソースにおける１個を指し示し、
ＳＣＣにおいて伝送する、ＰＤＣＣＨに対応するＰＤＳＣＨのチャネル選択の候補チャネルリソースを確定する場合、前記ＰＤＣＣＨにおけるＴＰＣフィールドに基づいて、チャネルリソースを確定し、
または、ＳＣＣにおいて伝送する、ＰＤＣＣＨに対応するＰＤＳＣＨのチャネル選択の候補チャネルリソースを確定する場合、前記ＰＤＣＣＨをＰＣＣにおける前記ＭＰ個サブフレームにおける使用可能ダウンリンクサブフレームにて伝送する場合、前記ＰＤＣＣＨの最小ＣＣＥナンバーに基づいて、チャネルリソースを確定し、そうでない場合、前記ＰＤＣＣＨにおけるＴＰＣフィールドに基づいて、チャネルリソースを確定し、
または、ＳＣＣにおいて伝送する、ＰＤＣＣＨに対応するＰＤＳＣＨのチャネル選択の候補チャネルリソースを確定する場合、前記ＭＰが０であり前記ＭＳが０より大きいかつ前記ＰＤＣＣＨをＰＣＣにおいて伝送する場合、前記ＰＤＣＣＨの最小ＣＣＥナンバーに基づいて、チャネルリソースを確定し、ＭＰが０であり前記ＭＳが０より大きいかつ前記ＰＤＣＣＨをＰＣＣにおいて伝送するとの条件を満たさない場合は、前記ＰＤＣＣＨにおけるＴＰＣフィールドに基づいて、チャネルリソースを確定し、
ここで、前記ＴＰＣフィールドは、上位層シグナルが事前に設定した複数組チャネルリソースにおける１組または複数チャネルリソースにおける１個を指し示し、
前記Ｍ値が２より大きい場合、ＰＤＣＣＨの最小ＣＣＥナンバーに基づいて、チャネルリソースを確定し、前記ＰＤＣＣＨが、ＤＡＩ値が１であるＰＤＣＣＨまたはＤＡＩ値が２であるＰＤＣＣＨであることを特徴とする請求項１０に記載のキャリア・アグリゲーションフィードバック装置。
【請求項１２】
前記チャネルリソース確定ユニットにおけるＰＤＣＣＨの最小ＣＣＥナンバーに基づくチャネルリソースの確定は、＜数式１１＞に基づいてチャネルリソースナンバーを確定することを備え、
【数１１】
0006333349.tif 000039
ここで、ＭＰ０は、ＰＣＣに対応するシステム情報に設定したＴＤＤアップ／ダウンリンク構成に基づいて確定した、現在アップリンクサブフレームに対応するダウンリンクインデックス集合K:｛ｋ0、ｋ１…ｋＭｐ0-１｝におけるエレメント個数であり、
ｍは、ＰＣＣにおいて伝送するＰＤＣＣＨが位置するダウンリンクサブフレームｎ−ｋｍに対応するダウンリンクインデックスｋｍが集合Ｋにおける位置インデックスであり、＜数式１２＞を満足し、
【数１２】
0006333349.tif 000040
cは｛０，１，２，３｝から選択した＜数式１３＞、＜数式１４＞を満たす値であり、
【数１３】
0006333349.tif 000041
【数１４】
0006333349.tif 000042
【数１５】
0006333349.tif 000043
を特徴とする請求項１１に記載のキャリア・アグリゲーションフィードバック装置。
【請求項１３】
各キャリアに対応するアップ／ダウンリンク構成（ＴＤＤアップ／ダウンリンク構成）に基づいて、現在アップリンクサブフレームにてＡＣＫ／ＮＡＣＫフィードバックされるべきサブフレーム数Ｍを確定するフィードバックサブフレーム数確定ユニットであって、前記サブフレーム数Ｍが、それぞれ各キャリアに対応する前記ＴＤＤアップ／ダウンリンク構成に基づいて確定した、各キャリアにおける現在アップリンクサブフレームにてＡＣＫ／ＮＡＣＫフィードバックされるべきサブフレーム数の最大値であり、前記ＴＤＤアップ／ダウンリンクが、基地局が前記キャリアのＡＣＫ／ＮＡＣＫフィードバック情報を受信するタイミング関係を確定するためのものであり、前記各キャリアのうち少なくとも１つのＦＤＤキャリア及び少なくとも１つのＴＤＤキャリアが備えられる、フィードバックサブフレーム数確定ユニットと、
前記Ｍ値に基づいて、チャネル選択の候補チャネルリソースを確定する、候補チャネルリソース確定ユニットと、
前記候補チャネルリソースにおいて、チャネル選択にかかるＰＵＣＣＨフォーマットｆｏｒｍａｔ  １ｂにより、ＡＣＫ／ＮＡＣＫフィードバック情報を受信する、受信ユニットとを備え、
前記受信ユニットは、
各ダウンリンクキャリアＱ*Ｍビットに対応するＡＣＫ／ＮＡＣＫフィードバック情報を確定し、ここで、Ｍ＝１かつ前記ダウンリンクキャリアがマルチコードワード伝送モードである場合、Ｑ＝２であり、Ｍ＝１かつ前記ダウンリンクキャリアがマルチコードワード伝送モードであるとの条件を満たさない場合はＱ＝１であり、
前記ダウンリンクキャリアに対応する前記ＴＤＤアップ／ダウンリンク構成に基づいて確定した前記ダウンリンクキャリアにおける現在アップリンクサブフレームにてＡＣＫ／ＮＡＣＫフィードバックされるべきサブフレーム個数ＡがＭ値より小さい場合、ダウンリンクキャリアに対応する前記現在アップリンクサブフレームにてＡＣＫ／ＮＡＣＫフィードバックされるべきＡ個のサブフレームのＡＣＫ／ＮＡＣＫフィードバック情報を前記ダウンリンクキャリアのＱ*ＭビットのＡＣＫ／ＮＡＣＫフィードバック情報シーケンスの前のＱ＊Ａビットの位置にマッピングすることを確定することを特徴とするキャリア・アグリゲーションフィードバック装置。
【請求項１４】
前記Ｍは、ＭＰとＭＳの最大値であり、
前記ＭＰは、プライマリーキャリア（ＰＣＣ）に対応する前記ＴＤＤアップ／ダウンリンク構成に基づいて確定した、前記キャリアにおける現在アップリンクサブフレームにてＡＣＫ／ＮＡＣＫフィードバックされるべきサブフレーム数であり、
前記ＭＳは、セカンダリーキャリア（ＳＣＣ）に対応する前記ＴＤＤアップ／ダウンリンク構成に基づいて確定した、前記キャリアにおける現在アップリンクサブフレームにてＡＣＫ／ＮＡＣＫフィードバックされるべきサブフレーム数であり、
前記キャリアにおける現在アップリンクサブフレームにてＡＣＫ／ＮＡＣＫフィードバックされるべきサブフレーム数は、
前記キャリアに対応する前記ＴＤＤアップ／ダウンリンク構成に基づいて確定した、現在アップリンクサブフレームに対応する前記キャリアにおけるサブフレーム集合内のサブフレーム個数であるか、
または、前記キャリアに対応する前記ＴＤＤアップ／ダウンリンク構成に基づいて確定した、現在アップリンクサブフレームに対応する前記キャリアにおけるサブフレーム集合内のダウンリンクサブフレーム個数であるか、
または、前記キャリアに対応する前記ＴＤＤアップ／ダウンリンク構成に基づいて確定した、現在アップリンクサブフレームに対応する前記キャリアにおけるサブフレーム集合内の、スケジューリングシグナルを獲得できないダウンリンクサブフレームおよび／または伝送方向がアップリンクであると確定したダウンリンクサブフレームを除くダウンリンクサブフレーム個数であるか、
または、前記キャリアに対応する前記ＴＤＤアップ／ダウンリンク構成に基づいて、現在アップリンクサブフレームに対応するダウンリンクインデックス集合がないと確定した場合、前記キャリアにおける現在アップリンクサブフレームにてＡＣＫ／ＮＡＣＫフィードバックされるべきサブフレーム数は０であり、ここで、前記キャリアにおけるサブフレーム集合は、前記キャリアに対応する前記ＴＤＤアップ／ダウンリンク構成に基づいて確定した、現在アップリンクサブフレームに対応するダウンリンクインデックス集合内の各エレメントにより確定した前記キャリアにおける各サブフレームの集合であり、
ＵＥがＡＣＫ／ＮＡＣＫフィードバック情報を報告するタイミング関係は、ＡＣＫ／ＮＡＣＫフィードバックを実行しなければならないダウンリンクサブフレームと前記ダウンリンクサブフレームのＡＣＫ／ＮＡＣＫフィードバック情報を伝送するアップリンクサブフレームとの対応関係であることを特徴とする請求項１３に記載のキャリア・アグリゲーションフィードバック装置。
【請求項１５】
前記候補チャネルリソース確定ユニットは、
ＰＣＣにおいて伝送するＰＤＣＣＨに対応するＰＤＳＣＨおよび／またはＰＣＣにおいて伝送するダウンリンクＳＰＳリソースのリリースを指示するＰＤＳＣＨのチャネル選択の候補チャネルリソースを確定する場合、前記ＰＤＣＣＨの最小制御チャネルエレメント（ＣＣＥ）ナンバーに基づいて、チャネルリソースを確定し、
ＰＣＣにおいて伝送する、ＰＤＣＣＨに対応しないＰＤＳＣＨのチャネル選択の候補チャネルリソースを確定する場合、前記ＰＤＳＣＨ活性化を指示するＰＤＣＣＨにおける発送電力制御フィールド（ＴＰＣフィールド）に基づいて、チャネルリソースを確定し、ここで、ＴＰＣフィールド上位層シグナルが事前に設定した複数組チャネルリソースにおける１組または複数チャネルリソースにおける１個を指し示し、
ＳＣＣにおいて伝送する、ＰＤＣＣＨに対応するＰＤＳＣＨのチャネル選択の候補チャネルリソースを確定する場合、前記ＰＤＣＣＨにおけるＴＰＣフィールドに基づいて、チャネルリソースを確定し、
または、ＳＣＣにおいて伝送する、ＰＤＣＣＨに対応するＰＤＳＣＨのチャネル選択の候補チャネルリソースを確定する場合、前記ＤＣＣＨをＰＣＣにおけるＭＰ個サブフレームにおける使用可能ダウンリンクサブフレームにて伝送すれば、前記ＰＤＣＣＨの最小ＣＣＥナンバーに基づいて、チャネルリソースを確定し、そうでない場合は、前記ＰＤＣＣＨにおけるＴＰＣフィールドに基づいて、チャネルリソースを確定し、
または、ＳＣＣにおいて伝送する、ＰＤＣＣＨに対応するＰＤＳＣＨのチャネル選択の候補チャネルリソースを確定する場合、前記ＭＰが０であり前記ＭＳが０より大きいかつ前記ＰＤＣＣＨをＰＣＣにおいて伝送する場合、前記ＰＤＣＣＨの最小ＣＣＥナンバーに基づいて、チャネルリソースを確定し、ＭＰが０であり前記ＭＳが０より大きいかつ前記ＰＤＣＣＨをＰＣＣにおいて伝送するとの条件を満たさない場合、前記ＰＤＣＣＨにおけるＴＰＣフィールドに基づいて、チャネルリソースを確定し、ここで、前記ＴＰＣフィールドは、上位層シグナルが事前に設定した複数組チャネルリソースにおける１組または複数チャネルリソースにおける１個を指し示し、
前記Ｍ値が２より大きい場合、前記候補チャネルリソースユニットは、ＰＤＣＣＨの最小ＣＣＥナンバーに基づいて、チャネルリソースを確定し、前記ＰＤＣＣＨが、ＤＡＩ値が１であるＰＤＣＣＨまたはＤＡＩ値が２であるＰＤＣＣＨであることを特徴とする請求項１４に記載のキャリア・アグリゲーションフィードバック装置。
【請求項１６】
前記候補チャネルリソース確定ユニットにおけるＰＤＣＣＨの最小ＣＣＥナンバーに基づくチャネルリソースの確定は、＜数式１６＞に基づいてチャネルリソースナンバーを確定することを備え、
【数１６】
0006333349.tif 000044
ここで、ＭＰ０は、ＰＣＣに対応するシステム情報に設定したＴＤＤアップ／ダウンリンク構成に基づいて確定した、現在アップリンクサブフレームに対応するダウンリンクインデックス集合K:｛ｋ0、ｋ１…ｋＭｐ0-１｝におけるエレメント個数であり、
ｍは、ＰＣＣにおいて伝送するＰＤＣＣＨが位置するダウンリンクサブフレームｎ−ｋｍに対応するダウンリンクインデックスｋｍが集合Ｋにおける位置インデックスであり、＜数式１７＞を満足し、
【数１７】
0006333349.tif 000045
cは｛０，１，２，３｝から選択した、＜数式１８＞、＜数式１９＞を満たす値であり、
【数１８】
0006333349.tif 000046
【数１９】
0006333349.tif 000047
【数２０】
0006333349.tif 000048
を特徴とする請求項１５に記載のキャリア・アグリゲーションフィードバック装置。
【発明の詳細な説明】
【技術分野】
【０００１】
本発明は通信技術分野に関し、特にキャリア・アグリゲーションのフィードバック方法、装置およびシステムに関する。
【背景技術】
【０００２】
本出願は２０１２年５月４日における国特許局に提出し、出願番号が２０１２１０１３７０９７．１であり、発明名称が「異なるＴＤＤアップ／ダウンリンク構成のキャリア・アグリゲーションのフィードバック方法、装置およびシステム」である中国特許出願を基礎とする優先権を主張し、その開示の総てをここに取り込む。
【０００３】
ＬＴＥ−Ａ（Ｌｏｎｇ  Ｔｅｒｍ  Ｅｖｏｌｕｔｉｏｎ―Ａｄｖａｎｃｅｄ，ロング・ターム・エボリューション・アドバンスト）Ｒｅｌ−１１（Ｒｅｌｅａｓｅ−１１）のＣＡ（Ｃａｒｒｉｅｒ  Ａｇｇｒｅｇａｔｉｏｎ，キャリア・アグリゲーション）システムは、インターバンド（Ｉｎｔｅｒ−ｂａｎｄ）のキャリア・アグリゲーションをサポートする。隣接周波数点におけるＴＤＤ（Ｔｉｍｅ  Ｄｉｖｉｓｉｏｎ  Ｄｕｐｌｅｘ，時分割二重）システム間の相互干渉を避けるため、異なる周波数バンド（Ｂａｎｄ）に位置するセル、またはＣＣ（Ｃｏｍｐｏｎｅｎｔ  Ｃａｒｒｉｅｒ，コンポーネントキャリア）は異なるＴＤＤアップ／ダウンリンク構成を使用することが考えられる。
【０００４】
ＬＴＥ−Ａシステムでは、システムのピーク速度はＬＴＥ（Ｌｏｎｇ  Ｔｅｒｍ  Ｅｖｏｌｕｔｉｏｎ，ロング・ターム・エボリューション）システムに比べて速くなり、要求ピーク速度はダウンリンク１Ｇｂｐｓ、アップリンク５００Ｍｂｐｓまで達した。よって、ＬＴＥ−Ａシステムは端末の利用可能帯域幅の拡張が求められている。即ち、図１に示す通り、同一ｅＮＢ（基地局）における複数の連続または非連続のキャリアを束ね、同時にＵＥ（Ｕｓｅｒ  Ｅｑｕｉｐｍｅｎｔ，ユーザー設備、または端末設備）へサービスを提供し、求められる速度を実現する。１つに束ねた各キャリアをコンポーネントキャリアと言い、各セル全てがコンポーネントキャリアであってもよい。しかし、異なるｅＮＢにおけるセル（コンポーネントキャリア）は束ねることができない。ＬＴＥシステムにおけるＵＥが各アグリゲーションのキャリアにて動作できることを保証するため、各コンポーネントキャリアは最大２０ＭＨｚを超えない。
【０００５】
アグリゲーションキャリアが位置する周波数バンドに基づき、キャリア・アグリゲーションはさらに同周波数バンド内（Ｉｎｔｒａ−ｂａｎｄ）ＣＡとＩｎｔｅｒ−ｂａｎｄ（インターバンド）ＣＡに分けることができる。Ｒｅｌ−１１およびその後続のＩｎｔｅｒ−ｂａｎｄ  ＣＡシステムにおいて、他のＴＤＤシステムに対する干渉を避けるため、異なる周波数バンドに位置するセルは、異なるＴＤＤアップ／ダウンリンク構成を使用することが考えられる。
【０００６】
図２に示す通り、キャリア１とキャリア２はＢａｎｄ  Ａに位置し、キャリア３はＢａｎｄ  Ｂに位置し、セル１、セル２およびセル３はそれぞれキャリア１、キャリアおよびキャリア３におけるセルに位置する。例えば、セル１とセル２のＴＤＤアップ／ダウンリンク構成が同じであれば、アップ／ダウンリンク構成１とし、セル３のＴＤＤアップ／ダウンリンク構成がセル１とセル２と異なれば、アップ／ダウンリンク構成２とする。ＵＥがこれら３つのセルにてキャリア・アグリゲーションを行う場合、ＵＥのアグリゲーションセルのＴＤＤアップ／ダウンリンク構成が異なるという情況が生じる。
【０００７】
ＬＴＥシステムにおいて、１つの無線フレームを１０ｍｓ（Ｍｉｌｌｉｓｅｃｏｎｄ，ミリセカンド）と定義し、サブフレーム１０個を備え、各サブフレームは１ｍｓとする。各ＴＤＤの無線フレームに対して、７種類のアップ／ダウンリンク構成を定義する。表１に示す、表内のＤはダウンリンクサブフレームを示し、Ｕはアップリンクサブフレームを示し、ＳはＴＤＤシステムの特殊サブフレームを示す。特殊サブフレームは、ＤｗＰＴＳ（Ｄｏｗｎｌｉｎｋ  Ｐｉｌｏｔ  Ｔｉｍｅ  Ｓｌｏｔ，ダウンリンクパイロット・タイムスロット）、ＧＰ（Ｇｕａｒｄ  Ｐｅｒｉｏｄ，保護期間）およびＵｐＰＴＳ（Ｕｐｌｉｎｋ  Ｐｉｌｏｔ  Ｔｉｍｅ  Ｓｌｏｔ，アップリンクパイロット・タイムスロット）の３部分より構成される。
【０００８】
【表１】
0006333349.tif 000002
【０００９】
ＬＴＥ−Ａ  ＴＤＤシステムにおけるＵＥは、同一アップリンクサブフレーム内にて複数のダウンリンクキャリアおよびダウンリンクサブフレームのＡＣＫ／ＮＡＣＫフィードバック情報をフィードバックしなければならない。具体的に、ＵＥは同一アップリンクサブフレームにおいて、ＡＣＫ／ＮＡＣＫフィードバックを実行しなければならないサブフレーム数をＭと定義できる。Ｍは異なるアップリンクサブフレームと異なるアップ／ダウンリンク構成では、獲得する値が異なる。表２に示す通り、アップリンクサブフレームにてＡＣＫ／ＮＡＣＫフィードバックを行うサブフレーム集合をサブフレームナンバーがｎ-ｋであるサブフレームとする。ここで、kは、表２におけるナンバーｎのアップリンクサブフレームに対応する集合｛ｋ0、ｋ１…ｋＭ-１｝における値である。
【００１０】
【表２】
0006333349.tif 000003
【００１１】
ＬＴＥ−Ａシステムにおいて、ＰＵＣＣＨ（Ｐｈｙｓｉｃａｌ  Ｕｐｌｉｎｋ  Ｃｏｎｔｒｏｌ  Ｃｈａｎｎｅｌ，物理アップリンク制御チャネル）は、プライマリーキャリアにてのみ伝送し、チャネル選択（chaＮＮel  selectioＮ）にかかるＰＵＣＣＨフォーマット１Ｂ（ＰＵＣＣＨ  Ｆｏｒｍａｔ  １ｂ  ｗｉｔｈ  ｃｈａｎｎｅｌ  ｓｅｌｅｃｔｉｏｎ）方式を用いて、２／３／４ビットＡＣＫ／ＮＡＣＫ情報を伝送できる。さらに、ＵＥを介して複数のチャネルリソース候補からチャネルを選択・伝送することにより、異なるＡＣＫ／ＮＡＣＫフィードバック情報状態を区別する。ここで、２、３または４ビットＡＣＫ／ＮＡＣＫ伝送に対して、それぞれマッピングテーブルを定義することにより、フィードバック待機の異なるＡＣＫ／ＮＡＣＫ情報状態と実際の伝送情報〔即ち、ＰＵＣＣＨ  ｆｏｒｍａｔ  １ｂ  ＱＰＳＫ（Ｑｕａｄｒａｔｕｒｅ  Ｐｈａｓｅ−Ｓｈｉｆｔ  Ｋｅｙｉｎｇ，四位相偏移変調）が変調する４つのコンスタレーション・ポイントにおけるＱＰＳＫ〕および伝送チャネルリソースのマッピングを実現する。単一アンテナポート伝送モードにおいては、２、３、４ビットＡＣＫ／ＮＡＣＫフィードバック情報に対して、それぞれ２、３、４個のＰＵＣＣＨ  ｆｏｒｍａｔ  ｌａ／１ｂチャネルリソースが必要である。
【００１２】
ＬＴＥ−Ａ  ＴＤＤシステムにおいて、ＰＵＣＣＨ  Ｆｏｒｍａｔ  １ｂ  ｗｉｔｈ  ｃｈａｎｎｅｌ  ｓｅｌｅｃｔｉｏｎ伝送スキームが最多で４ビットＡＣＫ／ＮＡＣＫ情報をサポートするため、現在、２キャリア以内のキャリア・アグリゲーションのＵＥサポートに対してのみ、当該方式を用いてＡＣＫ／ＮＡＣＫ情報を伝送する。ＵＥが１アップリンクサブフレームにてフィードバックしなければならないＡＣＫ／ＮＡＣＫビット数が４ビットを超える場合、ＡＣＫ／ＮＡＣＫ情報をバンドリング（Ｂｕｎｄｌｉｎｇ）し、ＡＣＫ／ＮＡＣＫフィードバック情報のビット数を減らさなければならない。具体的な伝送スキームＡとＢの情況をそれぞれに以下に説明する。
【００１３】
[伝送スキームＡ]
現在アップリンクサブフレームに対応するＭ＝１または２である場合について説明する。
Ｍ＝１である場合：
マルチコードワードＡＣＫ／ＮＡＣＫを空間バンドリング（Ｓｐａｔｉａｌに対Ｂｕｎｄｌｉｎｇ）する必要はない。
２アグリゲーションキャリア構造の伝送モードに基づき、２キャリアが全てシングルコードワード伝送モードを採用して伝送する場合、Ａ＝２ビットＡＣＫ／ＮＡＣＫ情報をフィードバックしなければならない。
１キャリアがマルチコードワード伝送モードを採用して伝送し、１キャリアがシングルコードワード伝送モードを採用して伝送する場合、Ａ＝３ビットＡＣＫ／ＮＡＣＫ情報をフィードバックしなければならない。
２キャリアがすべてマルチコードワード伝送モードを採用して伝送する場合、Ａ＝４ビットＡＣＫ／ＮＡＣＫ情報をフィードバックしなければならない。
表３に示す通り、ＵＥは、フィードバック待機ＡＣＫ／ＮＡＣＫ情報シーケンスHARQ-ACK(0),…,HARQ-ACK(j),…HARQ-ACK(A-1)と各伝送ブロック／サブフレームおよびダウンリンクキャリアのフィードバック情報とのマッピング関係を生成する。ここで、数１が成立する。
ＵＥは、データを受信してない伝送ブロック／サブフレームに対して、ＮＡＣＫ／ＤＴＸを発生させ、フィードバック情報とする。ＵＥは、表３におけるｊの昇順に従い、各キャリア（セル）に対応するＰＵＣＣＨリソースをＡ個ＰＵＣＣＨリソースに対応させる。
【００１４】
【数１】
0006333349.tif 000004
【００１５】
【表３】
0006333349.tif 000005
【００１６】
Ｍ＝２である場合：マルチコードワードＡＣＫ／ＮＡＣＫを空間バンドリングしなければならない。
ＵＥは、常時Ａ＝４ビットＡＣＫ／ＮＡＣＫ情報をフィードバックする。表４に示す通り、ＵＥは、フィードバック待機ＡＣＫ／ＮＡＣＫ情報シーケンスHARQ-ACK(0),…,HARQ-ACK(j),…HARQ-ACK(A-1)と各サブフレームおよびダウンリンクキャリアのフィードバック情報とのマッピング関係を生成する。ここで、＜数２＞が成立する。
ＵＥは、データを受信してないサブフレームに対して、ＮＡＣＫ／ＤＴＸを発生させ、フィードバック情報とする。ＵＥは、表４におけるｊの昇順に従い、各キャリア（セル）に対応するＰＵＣＣＨリソースをＡ個ＰＵＣＣＨリソースに対応させる。
【００１７】
【数２】
0006333349.tif 000006
【００１８】
【表４】
0006333349.tif 000007
【００１９】
フィードバックを行う際、＜数３＞で示すチャネルリソースを確定しなければならない。
【００２０】
具体的に、ＳＰＳ  ＰＤＳＣＨの場合、当該ＳＰＳ  ＰＤＳＣＨの起動を指示するＰＤＣＣＨにおける発送電力制御（ＴＰＣ，Ｔｒａｎｓｍｉｔ  Ｐｏｗｅｒ  Ｃｏｎｔｒｏｌ）領域に基づき、準静的ＰＵＣＣＨ  ｆｏｒｍａｔ  １ｂリソースを確定する。プライマリーキャリアにて伝送するＰＤＣＣＨ（Ｐｈｙｓｉｃａｌ  Ｄｏｗｎｌｉｎｋ  Ｃｏｎｔｒｏｌ  Ｃｈａｎｎｅｌ，物理ダウンリンク制御チャネル）に対応するＰＤＳＣＨ（Ｐｈｙｓｉｃａｌ  Ｄｏｗｎｌｉｎｋ  Ｓｈａｒｅｄ  Ｃｈａｎｎｅｌ，物理ダウンリンク共有チャネル）、またはＳＰＳ（Ｓｅｍｉ−Ｐｅｒｓｉｓｔｅｎｔ  Ｓｃｈｅｄｕｌｉｎｇ，ダウンリンク半永続スケジューリング）リソースのリリースを指示するＰＤＣＣＨの場合、当該ＰＤＣＣＨが使用する最小ＣＣＥ（Ｃｏｎｔｒｏｌ  Ｃｈａｎｎｅｌ  Ｅｌｅｍｅｎｔ，制御チャネルエレメント）ナンバーに基づき、暗黙ＰＵＣＣＨ  ｆｏｒｍａｔ  １ｂ（Ｉｍｐｌｉｃｉｔ  ＰＵＣＣＨ  ｆｏｒｍａｔ  １ｂ  ｒｅｓｏｕｒｃｅ）リソースを確定する。
【００２１】
Ｍ＝１、かつ伝送モードがマルチコードワードである場合、さらにＣＣＥ＋１に基づき、別の暗黙ＰＵＣＣＨ  ｆｏｒｍａｔ１ｂリソースを確定し、当該サブフレームにおける第２伝送ブロック（ＴＢ，Ｔｒａｎｓｐｏｒｔ  Ｂｌｏｃｋ）に対応する。
【００２２】
セカンダリーキャリアにて伝送するＰＤＳＣＨの場合は、もしこれに対応するＰＤＣＣＨがプライマリーキャリアにて伝送するならば、同様に当該ＰＤＣＣＨの最小ＣＣＥに基づき、暗黙ＰＵＣＣＨ  ｆｏｒｍａｔ  １ｂリソースを確定できる。
Ｍ＝１、かつ伝送モードがマルチコードワードである場合、さらにＣＣＥ＋１に基づき、別の暗黙ＰＵＣＣＨ  ｆｏｒｍａｔ１ｂリソースを確定し、ＴＢ２に対応する。もし、これに対応するＰＤＣＣＨがプライマリーキャリアにて伝送するならば、当該ＰＤＣＣＨにおけるＴＰＣフィールドに基づき、準静的構成のＰＵＣＣＨ  ｆｏｒｍａｔ  １ｂリソース（Ｍ＝１、かつ伝送モードがマルチコードワードである、またはＭ＝２である場合、各組に２リソースを備える。そうでない場合は、１リソースを備える。）を確定する。
【００２３】
【数３】
0006333349.tif 000008
【００２４】
前記サブフレームｎに対応するＭ＝１または２の情況の場合、ＵＥは、現在フィードバック待機におけるＡＣＫ／ＮＡＣＫ情報シーケンスHARQ-ACK(0),…,HARQ-ACK(j),…,HARQ-ACK(Ｍ-1)に基づき、Ａ＝２、３または４の場合のＡＣＫ／ＮＡＣＫマッピングテーブル（ＴＳ３６．２１３第１０．１．３．２章におけるＴａｂｌｅ１０．１．３．２−１，１０．１．３．２−２と１０．１．３．２−３を参照）を検索し、Ａ個
【００２５】
【数１０】
0006333349.tif 000009
【００２６】
において、ＰＵＣＣＨ  ｆｏｒｍａｔ  １ｂ伝送に対応するＰＵＣＣＨ  ｆｏｒｍａｔ  １ｂを用いて情報ｂ（０）ｂ（１）を搬送する。ここで、＜数１＞が成立する。
【００２７】
Ｂ：現在アップリンクサブフレームに対応するＭ＝３または４である場合について説明する。
【００２８】
マルチコードワードＡＣＫ／ＮＡＣＫを空間バンドリングしなければならない。
但し、空間バンドリング後のフィードバック情報ビットはまだ４ビットを超えるため、さらに時間領域バンドリング（Ｔｉｍｅ−ｄｏｍａｉｎ  Ｂｕｎｄｌｉｎｇ）しなければならない。
時間領域バンドリングの原則は、各ダウンリンクキャリアが２ビットバンドリング情報に対応することである。この情報は、当該ダウンリンクキャリアにて最初のスケジューリングされたサブフレームが連続で正確に受信したサブフレーム個数を示す。
即ち、ＵＥは、各ダウンリンクキャリアに対して、Ｍビットフィードバック待機ＡＣＫ／ＮＡＣＫ情報シーケンスＨＡＲＱ-ＡＣＫ（０），ＨＡＲＱ-ＡＣＫ（ｊ），ＨＡＲＱ-ＡＣＫ（Ｍ−１）を生成し、
【００２９】
【数１１】
0006333349.tif 000010
【００３０】
リソースを占用する。ここで、＜数４＞が成立する。
ＵＥは、データを受信してない伝送ブサブフレームに対して、ＮＡＣＫ／ＤＴＸを発生させ、フィードバック情報とする。
【００３１】
【数４】
0006333349.tif 000011
【００３２】
プライマリーキャリアの場合、もしＳＰＳ  ＰＤＳＣＨが存在するならば、これのフィードバック情報をＨＡＲＱ-ＡＣＫ（０）にマッピングし、これに対応するＰＵＣＣＨ  ｆｏｒｍａｔ１ｂリソースを
【００３３】
【数１２】
0006333349.tif 000012
【００３４】
にマッピングし、あとのＨＡＲＱ-ＡＣＫ（ｊ），1≦j≦Ｍ−1を、プライマリーキャリアにて伝送するＤＡＩ値が“ｊ”であるＰＤＣＣＨに対応するダウンリンクサブフレームのフィードバック情報とする。
【００３５】
【数１３】
0006333349.tif 000013
【００３６】
をＤＡＩ値が１であるＰＤＣＣＨの最小ＣＣＥに基づいて獲得した暗黙ＰＵＣＣＨ  ｆｏｒｍａｔ  １ｂリソースとする。もし、ＳＰＳ  ＰＤＳＣＨが存在しないならば、ＨＡＲＱ-ＡＣＫ（ｊ），0≦j≦Ｍ−1をメインセルにて伝送するＤＡＩ値が“ｊ＋１”であるＰＤＣＣＨに対応するダウンリンクサブフレームのフィードバック情報とする。＜数１２＞と＜数１３＞をそれぞれＤＡＩ値が１であるＰＤＣＣＨの最小ＣＣＥに基づいて獲得した暗黙ＰＵＣＣＨ  ｆｏｒｍａｔ  １ｂリソースとする。
【００３７】
セカンダリーキャリアの場合、ＨＡＲＱ-ＡＣＫ（ｊ），1≦j≦Ｍ−1をセカンダリーキャリアにて伝送するＤＡＩ値が“ｊ＋１”であるＰＤＣＣＨに対応するダウンリンクサブフレームのフィードバック情報とする。スケジューリングセカンダリーキャリアのＰＤＣＣＨがプライマリーキャリアにて伝送する場合、
【００３８】
【数１４】
0006333349.tif 000014
【００３９】
と
【００４０】
【数１５】
0006333349.tif 000015
【００４１】
を、それぞれＤＡＩ値が１と２であるセカンダリーキャリアにてデータをスケジューリングするＰＤＣＣＨの最小ＣＣＥナンバーに基づいて確定した、ＰＵＣＣＨ  ｆｏｒｍａｔ  １ｂリソースとする。セカンダリーキャリアをスケジューリングするＰＤＣＣＨがセカンダリーキャリアにて伝送する場合、＜数１４＞と＜数１５＞を、それぞれＤＡＩ値が１と２であるセカンダリーキャリアにてデータをスケジューリングするＰＤＣＣＨにおけるＴＰＣフィールドに携帯したＡＣＫ／ＮＡＣＫリソース指示情報に基づいて確定した、ＰＵＣＣＨ  ｆｏｒｍａｔ  １ｂリソースとする。当該指示情報は、上位層シグナルが事前にＵＥに設定した複数組チャネルリソースにおける１組を指し示す。各組は少なくとも２ＰＵＣＣＨ  ｆｏｒｍａｔ１ｂリソースを備える。
【００４２】
ＵＥは、プライマリーキャリアとセカンダリーキャリアそれぞれに対応するフィードバック待機ＡＣＫ／ＮＡＣＫ情報シーケンスに基づいて、時間領域バンドリング情況にてＭ＝３または４に対応するＡＣＫ／ＮＡＣＫマッピングテーブル（ＴＳ３６．２１３第１０．１．３．２章におけるＴａｂｌｅ  １０．１．３．２−５と１０．１．３．２−６を参照）を検索し、Ｍ個
【００４３】
【数１６】
0006333349.tif 000016
【００４４】
において、ＰＵＣＣＨ  ｆｏｒｍａｔ  １ｂ伝送に対応するＰＵＣＣＨ  ｆｏｒｍａｔ  １ｂを用いて、情報ｂ（０）ｂ（１）を搬送する。ここで、＜数５＞が成立する。
【００４５】
【数５】
0006333349.tif 000017
【発明の概要】
【発明が解決しようとする課題】
【００４６】
ＰＵＣＣＨはＰＣＣ（Ｐｒｉｍａｒｙ  Ｃｏｍｐｏｎｅｎｔ  Ｃａｒｒｉｅｒ，プライマリーキャリア）での伝送のみサポートするため、ＵＥアグリゲーションの２キャリアが異なるＴＤＤアップ／ダウンリンク構成を用いる場合、ナンバーが同じサブフレームでは、ＳＣＣ（Ｓｅｃｏｎｄａｒｙ  Ｃｏｍｐｏｎｅｎｔ  Ｃａｒｒｉｅｒ，セカンダリーキャリア）とプライマリーキャリアにてサブフレーム方向異なることが考えられる。セカンダリーキャリアおけるダウンリンクサブフレームのＡＣＫ／ＮＡＣＫフィードバック情報伝送を保証するため、ＵＥがセカンダリーキャリアのダウンリンクデータを報告するＡＣＫ／ＮＡＣＫフィードバック情報のタイミング関係（略称、ＤＬ  ＨＡＲＱ  ｔｉｍｉｎｇ）を改めて確定しなければならない。当該タイミング関係は、即ち、セカンダリーキャリアおけるダウンリンクサブフレームのＡＣＫ／ＮＡＣＫフィードバック情報と当該ダウンリンクサブフレームのＡＣＫ／ＮＡＣＫフィードバック情報を伝送するアップリンクサブフレームとの対応関係である。セカンダリーキャリアおけるダウンリンクサブフレームのＡＣＫ／ＮＡＣＫフィードバック情報を保証することにより、プライマリーキャリアおけるアップリンクサブフレームにて伝送することができる。この時、セカンダリーキャリアは参考となるＴＤＤアップ／ダウンリンク構成および当該参考となるＴＤＤアップ／ダウンリンク構成におけるダウンリンクサブフレームとアップリンクサブフレームとの対応関係（表２の当該参考となるアップ／ダウンリンク構成におけるｋ集合）に基づき、セカンダリーキャリアップ／ダウンリンクサブフレームに対応するＡＣＫ／ＮＡＣＫフィードバックを行うアップリンクサブフレームを確定すると考えられる。参考となるＴＤＤアップ／ダウンリンク構成は、ＳＩＢ１（Ｓｙｓｔｅｍ  Ｉｎｆｏｒｍａｔｉｏｎ  Ｂｌｏｃｋ，システム情報ブロック１）におけるセカンダリーキャリアに配置するＴＤＤアップ／ダウンリンク構成と同じであると考えられる。また、ＳＩＢ１におけるプライマリーキャリアに配置するＴＤＤアップ／ダウンリンク構成とも同じであると考えられる。さらに、プライマリーキャリアとセカンダリーキャリアのＳＩＢ１にて設定したＴＤＤアップ／ダウンリンク構成とも異なる他の従来のアップ／ダウンリンク構成のうちの１つと考えられる。この時、それに対応するように、プライマリーキャリアのアップリンクサブフレームｎにてＡＣＫ／ＮＡＣＫフィードバックを行うプライマリーキャリアとセカンダリーキャリアにて伝送するサブフレーム集合は異なることが考えられる。よって、対応するアップリンクサブフレームにてＡＣＫ／ＮＡＣＫフィードバックを行うプライマリーキャリアとセカンダリーキャリアにおけるサブフレーム個数（ＡＣＫ／ＮＡＣＫフィードバックビット数）は異なることが考えられる。よって、直接対応するＡＣＫ／ＮＡＣＫマッピングテーブルがなく、かつセカンダリーキャリアにおけるＰＤＳＣＨがプライマリーキャリアにて伝送するＰＤＣＣＨにより、スケジューリングされる場合、ＰＤＣＣＨの最小ＣＣＥに基づいて獲得した暗黙チャネルリソースは、他のサブフレームおよび／または他のＵＥと衝突すると考えら��る。よって、Ｒｅｌ−１０におけるＰＵＣＣＨ  ｆｏｒｍａｔ  １ｂ  ｗｉｔｈ  ｃｈａｎｎｅｌ  ｓｅｌｅｃｔｉｏｎスキームを用いることができない。
【００４７】
したがって、現在キャリア・アグリゲーションを用いる場合、どのようにＡＣＫ／ＮＡＣＫフィードバックを行うかという明確な方式が存在しないことは明らかである。
【課題を解決するための手段】
【００４８】
本発明に係る実施形態は、キャリア・アグリゲーションの際に、ＰＵＣＣＨ  ｆｏｒｍａｔ  １ｂ  ｗｉｔｈ  ｃｈａｎｎｅｌ  ｓｅｌｅｃｔｉｏｎを用いてのＡＣＫ／ＮＡＣＫ伝送を実現するキャリア・アグリゲーションのフィードバック方法、装置およびシステムを提供する。
【００４９】
本発明に係るキャリア・アグリゲーションフィードバック方法は、  
各キャリアに対応する時分割二重ＴＤＤアップ／ダウンリンク構成に基づいて、現在アップリンクサブフレームにてＡＣＫ／ＮＡＣＫフィードバックされるべきサブフレーム数Ｍを確定するステップであって、前記サブフレーム数Ｍが、それぞれ各キャリアに対応する前記ＴＤＤアップ／ダウンリンク構成に基づいて確定した、各キャリアにおける現在アップリンクサブフレームにてＡＣＫ／ＮＡＣＫフィードバックされるべきサブフレーム数の最大値であり、前記ＴＤＤアップ／ダウンリンク構成が、端末設備（ＵＥ）が当該キャリアのＡＣＫ／ＮＡＣＫフィードバック情報を報告するタイミング関係を確定するためのものであり、前記各キャリアに対応するシステム情報により設定したＴＤＤアップ／ダウンリンク構成には、少なくとも２種類のＴＤＤアップ／ダウンリンク構成が含まれるか、または前記各キャリアのうち少なくとも１つのＦＤＤキャリア及び少なくとも１つのＴＤＤキャリアが備えられる、前記確定ステップと、前記Ｍ値に基づき、現在アップリンクサブフレームにて伝送するＡＣＫ／ＮＡＣＫフィードバック情報を確定するステップと、前記Ｍ値に基づき、チャネル選択の候補チャネルリソースを確定するステップと、前記候補チャネルリソースにおいて、チャネル選択にかかる物理アップリンク制御チャネルＰＵＣＣＨフォーマットｆｏｒｍａｔ  １ｂにより、前記ＡＣＫ／ＮＡＣＫフィードバック情報を伝送するステップとを備える。
【００５０】
本発明に係るキャリア・アグリゲーションフィードバック方法は、各キャリアに対応する時分割二重ＴＤＤアップ／ダウンリンク構成に基づき、現在アップリンクサブフレームにてＡＣＫ／ＮＡＣＫフィードバックされるべきサブフレーム数Ｍを確定するステップであって、前記サブフレーム数Ｍは、それぞれ各キャリアに対応する前記ＴＤＤアップ／ダウンリンク確定した、各キャリアにおける現在アップリンクサブフレームにてＡＣＫ／ＮＣＫフィードバックされるべきサブフレーム数の最大値であり、前記ＴＤＤアップ／ダウンリンクは、基地局が当該キャリアのＡＣＫ／ＮＡＣＫフィードバック情報を受信するタイミング関係を確定するためのものであり、前記各キャリアに対応するシステム情報により設定したＴＤＤアップ／ダウンリンク構成には、少なくとも２種類のＴＤＤアップ／ダウンリンク構成が含まれるか、または前記各キャリアのうち少なくとも１つのＦＤＤキャリア及び少なくとも１つのＴＤＤキャリアが備えられる、前記確定ステップと、前記Ｍ値に基づき、チャネル選択の候補チャネルリソースを確定するステップと、前記候補チャネルリソースにおいて、チャネル選択にかかるＰＵＣＣＨフォーマットｆｏｒｍａｔ  １ｂにより、ＡＣＫ／ＮＡＣＫフィードバック情報を受信するステップとを備える。
【００５１】
本発明に係るキャリア・アグリゲーションフィードバック装置は、  
各キャリアに対応する時分割二重ＴＤＤアップ／ダウンリンク構成に基づき、現在アップリンクサブフレームにてＡＣＫ／ＮＡＣＫフィードバックされるべきサブフレーム数Ｍを確定する、サブフレーム数確定ユニットであって、前記サブフレーム数Ｍが、それぞれ各キャリアに対応する前記ＴＤＤアップ／ダウンリンク構成に基づいて確定した、各キャリアにおける現在アップリンクサブフレームにてＡＣＫ／ＮＡＣＫフィードバックされるべきサブフレーム数の最大値であり、前記ＴＤＤアップ／ダウンリンク構成は、端末設備（ＵＥ）が当該キャリアのＡＣＫ／ＮＡＣＫフィードバック情報を報告するタイミング関係を確定するためのものであり、前記各キャリアに対応するシステム情報により設定したＴＤＤアップ／ダウンリンク構成には、少なくとも２種類のＴＤＤアップ／ダウンリンク構成を備えるか、または前記各キャリアのうち少なくとも１つのＦＤＤキャリア及び少なくとも１つのＴＤＤキャリアが備えられる、サブフレーム数確定ユニットと、  
前記Ｍ値に基づき、現在アップリンクサブフレームにて伝送するＡＣＫ／ＮＡＣＫフィードバック情報を確定する、フィードバック情報確定ユニットと、  
前記Ｍ値に基づき、チャネル選択の候補チャネルリソースを確定する、チャネルリソース確定ユニットと、  
前記候補チャネルリソースにおいて、チャネル選択にかかる物理アップリンク制御チャネルＰＵＣＣＨフォーマットｆｏｒｍａｔ  １ｂにより、前記ＡＣＫ／ＮＡＣＫフィードバック情報を伝送する、伝送ユニットとを備える。
【００５２】
本発明に係るキャリア・アグリゲーションフィードバック装置は、各キャリアに対応する時分割二重ＴＤＤアップ／ダウンリンク構成に基づいて、現在アップリンクサブフレームにてＡＣＫ／ＮＡＣＫフィードバックされるべきサブフレーム数Ｍを確定するフィードバックサブフレーム数確定ユニットであって、前記サブフレーム数Ｍが、それぞれ各キャリアに対応する前記ＴＤＤアップ／ダウンリンク構成に基づいて確定した、各キャリアにおける現在アップリンクサブフレームにてＡＣＫ／ＮＡＣＫフィードバックされるべきサブフレーム数の最大値であり、前記ＴＤＤアップ／ダウンリンクは、基地局が当該キャリアのＡＣＫ／ＮＡＣＫフィードバック情報を受信するタイミング関係を確定するためのものであり、前記各キャリアに対応するシステム情報により設定したＴＤＤアップ／ダウンリンク構成には、少なくとも２種類のＴＤＤアップ／ダウンリンク構成が含まれるか、または前記各キャリアのうち少なくとも１つのＦＤＤキャリア及び少なくとも１つのＴＤＤキャリアが備えられる、フィードバックサブフレーム数確定ユニットと、前記Ｍ値に基づき、チャネル選択の候補チャネルリソースを確定する、候補チャネルリソース確定ユニットと、前記候補チャネルリソースにおいて、チャネル選択にかかるＰＵＣＣＨフォーマットｆｏｒｍａｔ  １ｂにより、ＡＣＫ／ＮＡＣＫフィードバック情報を受信する、受信ユニットとを備える。
【００５３】
キャリア・アグリゲーションフィードバックシステムは、各キャリアに対応する時分割二重ＴＤＤアップ／ダウンリンク構成に基づいて、現在アップリンクサブフレームにてＡＣＫ／ＮＡＣＫフィードバックされるべきサブフレーム数Ｍを確定し、前記サブフレーム数Ｍが、それぞれ各キャリアに対応する前記ＴＤＤアップ／ダウンリンク構成に基づいて確定した、各キャリアにおける現在アップリンクサブフレームにてＡＣＫ／ＮＡＣＫフィードバックされるべきサブフレーム数の最大値であり、前記ＴＤＤアップ／ダウンリンク構成は、ＵＥが当該キャリアのＡＣＫ／ＮＡＣＫフィードバック情報を報告するタイミング関係を確定するためのものであり、前記各キャリアに対応するシステム情報により設定したＴＤＤアップ／ダウンリンク構成には、少なくとも２種類のＴＤＤアップ／ダウンリンク構成が含まれるか、または前記各キャリアのうち少なくとも１つのＦＤＤキャリア及び少なくとも１つのＴＤＤキャリアが備えられ、前記Ｍ値に基づき、現在アップリンクサブフレームにて伝送するＡＣＫ／ＮＡＣＫフィードバック情報を確定し、前記Ｍ値に基づいて、チャネル選択の候補チャネルリソースを確定し、前記候補チャネルリソースにおいて、チャネル選択にかかるＰＵＣＣＨフォーマットｆｏｒｍａｔ  １ｂにより、前記ＡＣＫ／ＮＡＣＫフィードバック情報を伝送する、端末設備と、各キャリアに対応する時分割二重ＴＤＤアップ／ダウンリンク構成に基づき、現在アップリンクサブフレームにてＡＣＫ／ＮＡＣＫフィードバックされるべきサブフレーム数Ｍが、それぞれ各キャリアに対応する前記ＴＤＤアップ／ダウンリンク構成に基づいて確定した、各キャリアにおける現在アップリンクサブフレームにてＡＣＫ／ＮＡＣＫフィードバックされるべきサブフレーム数の最大値であり、前記Ｍ値に基づき、チャネル選択の候補チャネルリソースを確定し、前記候補チャネルリソースにおいて、チャネル選択にかかるＰＵＣＣＨ  ｆｏｒｍａｔ  １ｂにより、ＡＣＫ／ＮＡＣＫフィードバック情報を受信する、基地局とを備える。
【００５４】
本発明に係る実施形態によれば、各キャリアに対応するＵＥが当該キャリアのＡＣＫ／ＮＡＣＫフィードバック情報を報告するタイミング関係を確定するＴＤＤアップ／ダウンリンク構成に基づいて、現在アップリンクサブフレームにてＡＣＫ／ＮＡＣＫフィードバックされるべきサブフレーム数Ｍを確定し、さらに、当該Ｍ値に基づき、端末設備が現在アップリンクサブフレームにて伝送するＡＣＫ／ＮＡＣＫフィードバック情報およびチャネル選択の候補チャネルリソースを確定し、さらには、候補チャネルリソースにおいて、チャネル選択にかかるＰＵＣＣＨ  ｆｏｒｍａｔ  １ｂにより、前記ＡＣＫ／ＮＡＣＫフィードバック情報を伝送し、キャリア・アグリゲーションのフィードバック方法、装置およびシステムを提供する。
【図面の簡単な説明】
【００５５】
【図１】従来技術における同周波数バンド内のキャリア・アグリゲーションを示す図である。
【図２】従来技術における周波数バンド間のキャリア・アグリゲーションを示す図である。
【図３】本発明の実施形態における異なるＴＤＤアップ／ダウンリンク構成のキャリア・アグリゲーションフィードバック方法のフロー図１である。
【図４】本発明の実施形態における異なるＴＤＤアップ／ダウンリンク構成のキャリア・アグリゲーションフィードバック方法のフロー図２である。
【図５】本発明の実施形態における異なるＴＤＤアップ／ダウンリンク構成のキャリア・アグリゲーションフィードバック装置の構造を示す図１である。
【図６】本発明の実施形態におけるフィードバックサブフレームの構造を示す図である。
【図７】本発明の実施形態における異なるＴＤＤアップ／ダウンリンク構成のキャリア・アグリゲーションフィードバック装置の構造を示す図２である。
【図８】本発明の実施形態における異なるＴＤＤアップ／ダウンリンク構成キャリア・アグリゲーションフィードバックシステムの構造を示す図。
【発明を実施するための形態】
【００５６】
本発明にかかる実施例は、異なるＴＤＤアップ／ダウンリンク構成のキャリア・アグリゲーションのフィードバック方法、装置およびシステムを提供する。
本発明に係る実施形態は、ＰＣＣとＳＣＣに対応する、ＡＣＫ／ＮＡＣＫ報告を行う情報のタイミング関係を確定するＴＤＤアップ／ダウンリンク構成に基づいて、現在アップリンクサブフレームにてフィードバックを行わなければならないダウンリンクサブフレーム数Ｍを確定する。
ダウンリンクサブフレーム数Ｍは、ＰＣＣとＳＣＣそれぞれに対応する当該ＴＤＤアップ／ダウンリンク構成に基づいて確定した、現在アップリンクサブフレームにてＡＣＫ／ＮＡＣＫフィードバックされるべきサブフレーム数の最大値である。
さらに、当該Ｍ値に基づいて、端末設備が現在アップリンクサブフレームにて伝送するＡＣＫ／ＮＡＣＫフィードバック情報およびチャネル選択の候補チャネルリソースを確定する。
さらには、候補チャネルリソースにおいて、チャネル選択により、前記ＡＣＫ／ＮＡＣＫフィードバック情報を伝送する。これにより、ＰＵＣＣＨ  ｆｏｒｍａｔ  １ｂ  ｗｉｔｈ  ｃｈａｎｎｅｌ  ｓｅｌｅｃｔｉｏｎを用いてＡＣＫ／ＮＡＣＫ伝送を実現できる。
【００５７】
異なるアップ／ダウンリンク構成を有するキャリアを束ねたＬＴＥ−Ａ  ＣＡ端末設備の場合、ＰＵＣＣＨ  ｆｏｒｍａｔ  １ｂ  ｗｉｔｈ  ｃｈａｎｎｅｌ  ｓｅｌｅｃｔｉｏｎを用いてＡＣＫ／ＮＡＣＫを伝送する場合、本発明の実施形態に係るフィードバック方法により、ＰＣＣとＳＣＣのＤＬ  ＨＡＲＱ  ｔｉｍｉｎｇに対応するアップ／ダウンリンク構成に基づいて、現在アップリンクサブフレームｎに対応するＭ値を確定する。
ここで、Ｍは、ＭＰとＭＳの最大値である。ＭＰは、ＰＣＣのＤＬ  ＨＡＲＱ  ｔｉｍｉｎｇに対応するＴＤＤアップ／ダウンリンク構成（即ち、ＳＩＢ１情報にて設定したＰＣＣのＴＤＤアップ／ダウンリンク構成）に基づいて確定した、サブフレームｎに対応するＡＣＫ／ＮＡＣＫフィードバックを実行しなければならないサブフレーム個数である。
ＭＳは、ＳＣＣのＤＬ  ＨＡＲＱ  ｔｉｍｉｎｇに対応するＴＤＤアップ／ダウンリンク構成に基づいて確定した、サブフレームｎに対応するＡＣＫ／ＮＡＣＫフィードバックを実行しなければならないサブフレーム個数である。
【００５８】
図３に示すように、本発明に係る異なるアップ／ダウンリンク構成のキャリア・アグリゲーションフィードバック方法は、以下のステップ３０１からステップ３０４を備える。
【００５９】
ステップＳ３０１において、各キャリアに対応する時分割二重ＴＤＤアップ／ダウンリンク構成に基づいて、現在アップリンクサブフレームにてＡＣＫ／ＮＡＣＫフィードバックされるべきサブフレーム数Ｍを確定する。
サブフレーム数Ｍは、それぞれ各キャリアに対応するＴＤＤアップ／ダウンリンク構成に基づいて確定した、各キャリアにおける現在アップリンクサブフレームにてＡＣＫ／ＮＡＣＫフィードバックされるべきサブフレーム数の最大値である。
ここで、各キャリアに対応するシステム情報により設定したＴＤＤアップ／ダウンリンク構成には、少なくとも２種類のＴＤＤアップ／ダウンリンク構成が含まれる。前記ＴＤＤアップ／ダウンリンク構成は、ＵＥが当該キャリアのＡＣＫ／ＮＡＣＫフィードバック情報を報告するタイミング関係を確定する。
【００６０】
ステップＳ３０２において、Ｍ値に基づいて、現在アップリンクサブフレームにて伝送するＡＣＫ／ＮＡＣＫフィードバック情報を確定する。
【００６１】
ステップＳ３０３において、Ｍ値に基づいて、チャネル選択の候補チャネルリソースを確定する。
【００６２】
ステップＳ３０４において、候補チャネルリソースにおいて、チャネル選択にかかるＰＵＣＣＨ  ｆｏｒｍａｔ  １ｂによりＡＣＫ／ＮＡＣＫフィードバック情報を伝送する。
【００６３】
もし、ＭＰがプライマリーキャリア（ＰＣＣ）に対応するＴＤＤアップ／ダウンリンク構成に基づいて確定した、当該キャリアにおける現在アップリンクサブフレームにてＡＣＫ／ＮＡＣＫフィードバックされるべきサブフレーム数であり、ＭＳがセカンダリーキャリア（ＳＣＣ）に対応するＴＤＤアップ／ダウンリンク構成に基づいて確定した、当該キャリアにおける現在アップリンクサブフレームにてＡＣＫ／ＮＡＣＫフィードバックされるべきサブフレーム数であるならば、ステップＳ３０１において、Ｍは、ＭＰとＭＳの最大値である。ＵＥがＡＣＫ／ＮＡＣＫフィードバック情報を報告するタイミング関係は、ＡＣＫ／ＮＡＣＫフィードバックを実行しなければならないダウンリンクサブフレームと当該ＡＣＫ／ＮＡＣＫフィードバックを伝送するアップリンクサブフレームとの対応関係である。
【００６４】
ここで、確定した当該キャリアにおける現在アップリンクサブフレームにてＡＣＫ／ＮＡＣＫフィードバックされるべきサブフレーム数は、具体的に、以下で説明する。
【００６５】
キャリアに対応するＴＤＤアップ／ダウンリンク構成に基づいて確定した、現在アップリンクサブフレームに対応するキャリアにおけるサブフレーム集合内のサブフレーム個数である。
【００６６】
または、キャリアに対応するＴＤＤアップ／ダウンリンク構成に基づいて確定した、現在アップリンクサブフレームに対応するキャリアにおけるサブフレーム集合内のダウンリンクサブフレーム個数である。
【００６７】
または、キャリアに対応するＴＤＤアップ／ダウンリンク構成に基づいて確定した、現在アップリンクサブフレームに対応するキャリアにおけるサブフレーム集合内の使用可能ダウンリンクサブフレーム個数である。
【００６８】
または、キャリアに対応するＴＤＤアップ／ダウンリンク構成に基づいて、現在アップリンクサブフレームに対応するダウンリンクインデックス集合がないことを確定した場合、キャリアにおける現在アップリンクサブフレームにてＡＣＫ／ＮＡＣＫフィードバックされるべきサブフレーム数は０である。
【００６９】
本発明の実施形態に係るキャリアにおけるサブフレーム集合は、キャリアに対応するＴＤＤアップ／ダウンリンク構成に基づいて確定した、現在アップリンクサブフレームに対応するダウンリンクインデックス集合内の各エレメントが確定したキャリアにおける各サブフレームの集合である。
【００７０】
ここで、使用可能ダウンリンクサブフレームは具体的に、サブフレーム集合内のダムダウンリンクサブフレーム（Ｄｕｍｐ  ｄｏｗｎｌｉｎｋ  ｓｕｂ−ｆｒａｍ）を除いたダウンリンクサブフレームである。ここで、ダムダウンリンクサブフレームは、スケジューリングシグナルを獲得できないダウンリンクサブフレームおよび／または伝送方向はアップリンクであると確定したダウンリンクサブフレームを備える。
【００７１】
具体的に、ＭＰは、ＰＣＣのＤＬ  ＨＡＲＱ  ｔｉｍｉｎｇに対応するアップ／ダウンリンク構成に基づいて確定した、アップリンクサブフレームｎに対応するサブフレーム集合においてサブフレーム個数（全サブフレームを備える。）である。
または、ＭＰは当該サブフレーム集合内のダウンリンクサブフレーム個数（即ち、当該サブフレーム集合においてＰＣＣにてアップリンクサブフレームであるサブフレームを除く）である。または、ＭＰは当該サブフレーム集合内の使用可能ダウンリンクサブフレーム個数である。
前記使用可能ダウンリンクサブフレームは、ＰＣＣ上の、当該サブフレーム集合からアップリンクサブフレームおよび／またはスケジューリング情報を獲得できないダウンリンクサブフレームおよび／または伝送方向がアップリンクであると確定したダウンリンクサブフレーム（即ち、当該サブフレームは異なるキャリアにて伝送方向が異なる。重複サブフレームともいい、半二重ＵＥの場合、当該重複サブフレームの伝送方向はアップリンクであることを確定する。）を除くダウンリンクサブフレームである。
前記サブフレーム集合は具体的に、ＰＣＣのＤＬ  ＨＡＲＱ  ｔｉｍｉｎｇに対応するアップ／ダウンリンク構成（即ち、ＳＩＢ１情報にて設定したＰＣＣのアップ／ダウンリンク構成）において、サブフレームｎに対応するダウンリンクインデックス位置集合K:｛ｋ0、ｋ１・・・ｋＭｐ0-１｝に対における各エレメントに基づいて確定した、サブフレーム集合（ナンバーがｎ-ｋｍであるサブフレーム0≦ｍ≦Ｍｐ0−1）である。
ここで、ＭＰ0は、ＰＣＣのＤＬ  ＨＡＲＱ  ｔｉｍｉｎｇに対応するアップ／ダウンリンク構成においてアップリンクサブフレームｎに対応するダウンリンクインデックス位置集合Ｋにおけるエレメント個数（即ち、サブフレーム集合内のサブフレーム個数）である。
ここで、全二重ＵＥの場合、使用可能ダウンリンクサブフレームは、即ち、前記集合Ｋにおいて各エレメントが確定した、サブフレーム集合（ナンバーがｎ-ｋｍであるサブフレーム0≦ｍ≦Ｍｐ0−1）におけるダウンリンクサブフレームである。
即ち、ＭＰは、前記集合Ｋにおけるエレメント個数である。
半二重ＵＥの場合、使用可能ダウンリンクサブフレームは、前記集合Ｋにおいて各エレメントが確定した、サブフレーム集合（ナンバーがｎ-ｋｍであるサブフレーム0≦ｍ≦Ｍｐ0−1）において、ＳＣＣにおけるアップリンクサブフレームと重複し、かつ端末設備当該サブフレームにおいてアップリンクに従い動作するダウンリンクサブフレームを除くダウンリンクサブフレームである。
もし、ＰＣＣのＤＬ  ＨＡＲＱ  ｔｉｍｉｎｇに対応するアップ／ダウンリンク構成において、サブフレームｎに対応するダウンリンクインデックス位置集合ＫがないならばＭＰ＝０である。
【００７２】
同様に、ＭＳ＞＝０である。
ＭＳは、ＳＣＣのＤＬ  ＨＡＲＱ  ｔｉｍｉｎｇに対応するアップ／ダウンリンク構成に基づいて確定した、サブフレームｎに対応するサブフレーム集合においてサブフレーム個数（全サブフレームを備える。）である。
または、ＭＳは当該サブフレーム集合内のダウンリンクサブフレーム個数（即ち、当該サブフレーム集合内のＳＣＣにてアップリンクサブフレームであるサブフレーム除く）である。
または、ＭＳは当該サブフレーム集合内の使用可能ダウンリンクサブフレーム個数である。
前記使用可能ダウンリンクサブフレームは、ＰＣＣ上の、当該サブフレーム集合からアップリンクサブフレームおよび／またはスケジューリング情報を獲得できないダウンリンクサブフレーム（例えば、クロス・キャリア・スケジューリングの際、当該ダウンリンクサブフレームはスケジューリングキャリアにて対応するサブフレームをアップリンクサブフレームであり、かつマルチ・サブフレーム・スケジューリングをサポートしない）および／または伝送方向はアップリンクであると確定したダウンリンクサブフレーム（即ち、当該サブフレームは異なるキャリアにて伝送方向が異なる。重複サブフレームともいい、半二重ＵＥの場合、当該重複サブフレームの伝送方向はアップリンクであることを確定する。）を除くダウンリンクサブフレームである。
前記サブフレーム集合は具体的に、ＳＣＣのＤＬ  ＨＡＲＱ  ｔｉｍｉｎｇに対応するアップ／ダウンリンク構成において、サブフレームｎに対応するダウンリンクインデックス位置集合ｋ：｛ｋ0、ｋ１・・・ｋＭｓ0-１｝における各エレメントに基づいて確定した、サブフレーム集合（ナンバーがｎ-ｋｍであるサブフレーム0≦ｍ≦Ｍｓ0−1）である。
ここで、Ｍｓ0は、ＳＣＣのＤＬ  ＨＡＲＱ  ｔｉｍｉｎｇに対応するアップ／ダウンリンク構成においてサブフレームｎに対応するダウンリンクインデックス位置集合Ｋにおけるエレメント個数（即ち、サブフレーム集合内のサブフレーム個数）である。
ここで、全二重ＵＥの場合、使用可能ダウンリンクサブフレームは、即ち、集合Ｋにおいて各エレメントが確定した、サブフレーム集合（ナンバーがｎ-ｋｍであるサブフレーム0≦ｍ≦Ｍｓ0−1）におけるダウンリンクサブフレームである。
または、使用可能ダウンリンクサブフレームは、当該サブフレーム集合内のスケジューリング情報を獲得できないダウンリンクサブフレームを除くダウンリンクサブフレームである。
半二重ＵＥの場合、使用可能ダウンリンクサブフレームは、
集合Ｋにおける各エレメントが確定した、サブフレーム集合（ナンバーがｎ-ｋｍであるサブフレーム0≦ｍ≦Ｍｐ0−1）において、ＰＣＣにおけるアップリンクサブフレームと重複し、かつ端末設備当該サブフレームにおいてアップリンクに従い動作するダウンリンクサブフレームおよび／またはスケジューリング情報を獲得できないダウンリンクサブフレームを除くダウンリンクサブフレームである。もし、ＳＣＣのＤＬ  ＨＡＲＱ  ｔｉｍｉｎｇに対応するアップ／ダウンリンク構成において、サブフレームｎに対応するダウンリンクインデックス位置集合Ｋがないならば、ＭＳ＝０である。
【００７３】
ステップＳ３０２において、Ｍ値に基づく現在アップリンクサブフレームにて伝送するＡＣＫ／ＮＡＣＫフィードバック情報の確定は、各ダウンリンクキャリアに対して、Ｑ*ＭビットのＡＣＫ／ＮＡＣＫフィードバック情報を発生させる。
ここで、Ｍ＝１、かつ当該ダウンリンクキャリアがマルチコードワード伝送モードを採用して伝送する場合、Ｑ＝２である。そうでない場合はＱ＝１である。
即ち、Ｍ＝１、かつ当該ダウンリンクキャリアがシングルコードワード伝送モードを採用して伝送する場合、Ｑ＝１である。Ｍ＞１である場合、Ｑ＝１である。
【００７４】
当該ダウンリンクキャリアに対応するＴＤＤアップ／ダウンリンク構成に基づいて確定した、現在アップリンクサブフレームにてＡＣＫ／ＮＡＣＫフィードバックされるべきサブフレーム個数ＡがＭ値より小さい場合、当該ダウンリンクキャリアに対応する現在アップリンクサブフレームにてＡＣＫ／ＮＡＣＫフィードバックされるべきサブフレームのＡＣＫ／ＮＡＣＫフィードバック情報を当該ダウンリンクキャリアのＱ*ＭビットのＡＣＫ／ＮＡＣＫフィードバック情報シーケンスの前のＱ＊Ａビットの位置にマッピングする。かつ、Ｑ＊Ａビット後のＱ＊（Ｍ―Ａ）ビットのＮＡＣＫ／ＤＴＸに補充する。
ここで、当該ダウンリンクキャリアに対応する現在アップリンクサブフレームにてＡＣＫ／ＮＡＣＫフィードバックされるべきＡ個のサブフレームにおける物理ダウンリンク共有チャネル（ＰＤＳＣＨ）および／またはダウンリンク半永続スケジューリング（ＳＰＳ）リソースにリリースを指示する物理ダウンリンク制御チャネル（ＰＤＣＣＨ）を受信していないサブフレームに対して、ＱビットＮＡＣＫ／ＤＴＸを発生させ、フィードバック情報とする。
【００７５】
Ｍｓが０である場合、Ｍ値に基づく現在アップリンクサブフレームにて伝送するＡＣＫ／ＮＡＣＫフィードバック情報の確定は、ＰＣＣに対応するＭビットＡＣＫ／ＮＡＣＫフィードバック情報を端末設備が現在アップリンクサブフレームにて伝送するＡＣＫ／ＮＡＣＫフィードバック情報とすることを確定し、かつ、ＰＣＣにおいて同一ダウンリンクサブフレームにおけるマルチコードワードのＡＣＫ／ＮＡＣＫフィードバック情報を空間バンドリングし、ＰＤＳＣＨおよび／または指示ダウンリンクＳＰＳリソースリリースのＰＤＣＣＨを受信していないダウンリンクサブフレームに対して、ＮＡＣＫ／ＤＴＸを発生させ、フィードバック情報とすることをさらに備える。
【００７６】
具体的に以下に説明する。
【００７７】
各ダウンリンクキャリアに対して、Ｑ*ＭビットのＡＣＫ／ＮＡＣＫフィードバック情報を発生させる。
ここで、Ｍ＝１、かつ当該ダウンリンクキャリアがマルチコードワード伝送モードを採用して伝送する場合、Ｑ＝２である。
Ｍ＝１、かつ当該ダウンリンクキャリアがシングルコードワード伝送モードを採用して伝送し、またはＭ＞１である場合、Ｑ＝１である。
【００７８】
当該ダウンリンクキャリアのダウンリンクＨＡＲＱ  ｔｉｍｉｎｇに対応するアップ／ダウンリンク構成において、現在アップリンクサブフレームに対応する使用可能ダウンリンクサブフレームにおけるデータを受信してないダウンリンクサブフレーム／コードワードに対して、ＮＡＣＫ／ＤＴＸを発生させ、フィードバック情報とする。
【００７９】
もし、当該ダウンリンクキャリアのＤＬ  ＨＡＲＱ  ｔｉｍｉｎｇに対応するアップ／ダウンリンク構成に基づいて確定した、サブフレームｎに対応するサブフレーム集合においてＡＣＫ／ＮＡＣＫフィードバック情報を発生させなければならないサブフレームが、当該キャリアおけるアップリンクサブフレームおよび／または他のキャリアおけるアップリンクサブフレームと重複し、かつ端末設備当該サブフレームにおいてアップリンクに従い動作するダウンリンクサブフレームを備えるならば、当該キャリアにて受信データに対応するＤＡＩ順序に従い、各サブフレームのＡＣＫ／ＮＡＣＫフィードバック情報を当該キャリアに対応するフィードバック情報シーケンスにマッピングする。
即ち、背景技術にある説明にある方式に従い、ＰＣＣにおけるＭＰ個サブフレームのＡＣＫ／ＮＡＣＫフィードバック情報をＵＥのフィードバック情報シーケンス（Ｍが２より小さい場合の場合）、またはＰＣＣに対応するＡＣＫ／ＮＡＣＫフィードバック情報シーケンス（Ｍが２より大きい場合の場合）にマッピングする。ＳＣＣにおけるＭＳ個サブフレームのＡＣＫ／ＮＡＣＫフィードバック情報をＵＥのフィードバック情報シーケンス（Ｍが２より小さい場合の場合）、またはＳＣＣに対応するＡＣＫ／ＮＡＣＫフィードバック情報シーケンス（Ｍが２より大きい場合の場合）にマッピングする。
または、当該キャリアにて使用可能ダウンリンクサブフレームのＡＣＫ／ＮＡＣＫフィードバック情報を当該キャリアに対応するフィードバック情報シーケンスの前にマッピングし、使用不能ダウンリンクサブフレームが生成したＮＡＣＫ／ＤＴＸフィードバック情報を使用可能ダウンリンクサブフレームのＡＣＫ／ＮＡＣＫフィードバック情報の後ろにマッピングする。
【００８０】
もし、当該ダウンリンクキャリアのＤＬ  ＨＡＲＱ  ｔｉｍｉｎｇに対応するアップ／ダウンリンク構成に基づいて確定した、サブフレームｎに対応するサブフレーム集合においてＡＣＫ／ＮＡＣＫフィードバック情報を発生させなければならないサブフレーム個数がＭより小さく、当該ダウンリンクキャリアのＤＬ  ＨＡＲＱ  ｔｉｍｉｎｇに対応するアップ／ダウンリンク構成においてサブフレームｎに対応するｍｉｎ（ＭＰ，ＭＳ）個サブフレームのＡＣＫ／ＮＡＣＫフィードバック情報の後ろにＱ＊（Ｍ−ｍｉｎ（ＭＰ，ＭＳ）個ＮＡＣＫ／ＤＴＸを補充するならば、当該ダウンリンクキャリアのＱ*ＭビットのＡＣＫ／ＮＡＣＫフィードバック情報を構成する。
ここで、Ｍ＝１、かつ当該ダウンリンクキャリアがマルチコードワード伝送モードでを採用して伝送する場合、Ｑ＝２である。Ｍ＝１、かつ当該ダウンリンクキャリアがシングルコードワード伝送モードを採用して伝送する、またはＭ＞１である場合、Ｑ＝１である。
【００８１】
特に、ＭＳが０である場合、ＰＣＣに対応するＭビットＡＣＫ／ＮＡＣＫフィードバック情報を確定するだけで端末設備がサブフレームｎにて対応するＡＣＫ／ＮＡＣＫフィードバック情報とできる。
即ち、単一キャリア動作方式に従い、ＰＣＣにおけるダウンリンクサブフレームにおけるマルチコードワードのＡＣＫ／ＮＡＣＫフィードバック情報を空間バンドリングし、ともにＭビットＡＣＫ／ＮＡＣＫフィードバック情報を発生させる。データを受信してないダウンリンクサブフレームに対して、ＮＡＣＫ／ＤＴＸを発生させ、フィードバック情報とする。
【００８２】
ステップＳ３０３において、Ｍ値に基づくチャネル選択の候補チャネルリソースの確定は、具体的に以下のように確定する。
【００８３】
ＰＣＣにおいて伝送する、ＰＤＣＣＨに対応するＰＤＳＣＨ、および／またはＰＣＣにおいて伝送する、ダウンリンクＳＰＳリソースのリリースを指示するＰＤＣＣＨの場合、ＰＤＣＣＨの最小制御チャネルエレメント（ＣＣＥ）ナンバーに基づいて、チャネルリソースを確定する。
この時、確定したチャネルリソースは、当該ＰＤＳＣＨとダウンリンクＳＰＳリソースのリリースを指示するＰＤＣＣＨに対応するチャネルリソースである。
【００８４】
ＰＣＣにおいて伝送するＰＤＣＣＨに対応しないＰＤＳＣＨ、かつ当該ＰＤＳＣＨのＡＣＫ／ＮＡＣＫフィードバック情報がＰＣＣに対応するＡＣＫ／ＮＡＣＫフィードバック情報シーケンスの前部１ビットにマッピングする場合、当該ＰＤＳＣＨ活性化を指示するＰＤＣＣＨにおける発送電力制御フィールド（ＴＰＣフィールド）に基づいて、チャネルリソースを確定する。
この時、確定したチャネルリソースは、当該ＰＤＳＣＨに対応するチャネルリソースである。
ここで、ＴＰＣフィールドは、上位層シグナルが事前に設定した複数組チャネルリソースにおける１組または複数チャネルリソースにおける１個を指し示す。
【００８５】
ＳＣＣにおいて伝送する、ＰＤＣＣＨに対応するＰＤＳＣＨの場合、ＰＤＣＣＨにおけるＴＰＣフィールドに基づいて、チャネルリソースを確定する。
即ち、ＳＣＣがクロス・キャリア・スケジューリングであろうとなかろうと、ＰＤＣＣＨにおけるＴＰＣフィールドに基づいて、チャネルリソースを確定する。
または、ＳＣＣにおいて伝送する、ＰＤＣＣＨに対応するＰＤＳＣＨの場合、ＰＤＣＣＨをＰＣＣにおけるＭＰ個ダウンリンクサブフレームにて伝送すれば（ＰＣＣとＳＣＣのＤＬ  ＨＡＲＱ  ｔｉｍｉｎｇに対応するアップ／ダウンリンク構成が同じである場合、当該ＰＤＳＣＨに対応するＰＤＣＣＨが位置するＰＣＣにおけるサブフレームナンバーと当該ＳＣＣにおけるＰＤＳＣＨのサブフレームナンバーは同じである。そうでない場合は、ナンバーは異なる。この時、マルチ・サブフレーム・スケジューリングを行わなければならない）、ＰＤＣＣＨの最小ＣＣＥナンバーに基づいて、チャネルリソースを確定する。そうでない場合は、ＰＤＣＣＨにおけるＴＰＣフィールドに基づいて、チャネルリソースを確定する。
または、ＳＣＣにおいて伝送する、ＰＤＣＣＨに対応するＰＤＳＣＨの場合、ＭＰが０、ＭＳが０より大きい、かつＰＤＣＣＨをＰＣＣにおいて伝送する場合、ＰＤＣＣＨの最小ＣＣＥナンバーに基づいて、チャネルリソースを確定する。そうでない場合は、ＰＤＣＣＨにおけるＴＰＣフィールドに基づいて、チャネルリソースを確定する。
好ましくは、ＤＡＩ値が１であるＰＤＣＣＨに基づいて、より好ましいチャネルリソースを確定する。
この時、確定したチャネルリソースは、当該ＰＤＳＣＨに対応するチャネルリソースである。
ここで、ＴＰＣフィールド上位層シグナルが事前に設定した複数組チャネルリソースにおける１組または複数チャネルリソースにおける１個を指し示す。
【００８６】
この数種類のチャネルリソース確定方式は同時に使用できる。例えば、もし同時にＰＣＣにおいて伝送するＰＤＣＣＨに対応するＰＤＳＣＨおよびＳＣＣにおいて伝送するＰＤＣＣＨに対応するＰＤＳＣＨが存在するならば、ＰＤＣＣＨの最小制御チャネルエレメント（ＣＣＥ）ナンバーに基づいて、チャネルリソースを確定しなければならない。また、ＰＤＣＣＨにおけるＴＰＣフィールドに基づいて、チャネルリソースも確定しなければならない。
【００８７】
Ｍ値が２より大きい場合、ＰＤＣＣＨの最小ＣＣＥナンバーに基づいて、チャネルリソースを確定し、前記ＰＤＣＣＨが、ＤＡＩ値が１であるＰＤＣＣＨまたはＤＡＩ値が２であるＰＤＣＣＨである。
【００８８】
ＭＳが０である場合、ＰＣＣにおけるＭＰ個ダウンリンクサブフレームにおけるＰＤＣＣＨの最小ＣＣＥナンバーのみに基づいて、ＭＰ個チャネルリソースより小さいと確定する。
【００８９】
具体的に、ＰＤＣＣＨの最小ＣＣＥナンバーに基づく、チャネルリソースの確定は、＜数６＞に基づいてチャネルリソースナンバーを確定するステップを備える、  
【００９０】
【数６】
0006333349.tif 000018
【００９１】
【数７】
0006333349.tif 000019
【００９２】
【数８】
0006333349.tif 000020
【００９３】
【数９】
0006333349.tif 000021
【００９４】
ここで、ＭＰ0は、ＰＣＣに対応するシステム情報に設定したＴＤＤアップ／ダウンリンク構成に基づいて確定した、現在アップリンクサブフレームに対応するダウンリンクインデックス集合K:｛ｋ0、ｋ１・・・ｋＭｐ0-１｝におけるエレメント個数である。
ｍは、ＰＣＣにおいて伝送するＰＤＣＣＨが位置するダウンリンクサブフレームｎ-ｋｍに対応するダウンリンクインデックスkＭの集合Ｋにおける位置インデックスであり、＜数７＞を満足する。
cは｛０，１，２，３｝から選択した、＜数８＞、＜数９＞を満たす値である。
【００９５】
【数１７】
0006333349.tif 000022
【００９６】
ＰＣＣに対応するシステム情報に設定したＴＤＤアップ／ダウンリンク構成がＴＤＤアップ／ダウンリンク構成０、かつＭＳ＞０である場合、ＭＰ0＝１、ｍ＝０であると確定する。
具体的に、ＰＣＣに対応するシステム情報に設定したＴＤＤアップ／ダウンリンク構成が構成０である場合、サブフレーム３とサブフレーム８におけるに対応するＭＰ0＝０であるため、もしこの時、ＭＳ＞０であるならば、ＭＰ0＝１、ｍ＝０であると仮定でき、選択したＰＤＣＣＨの最小ＣＣＥナンバーに基づいて、チャネルリソースを確定する。
【００９７】
ステップＳ３０３において、確定した候補チャネルリソースは、ＰＵＣＣＨ  ｆｏｒｍａｔ  １ｂリソースである。
【００９８】
ステップＳ３０４において、候補チャネルリソースにおいて、チャネル選択により、ＡＣＫ／ＮＡＣＫフィードバック情報を伝送する場合、ＰＵＣＣＨ  Ｆｏｒｍａｔ  １ｂ  ｗｉｔｈ  ｃｈａｎｎｅｌ  ｓｅｌｅｃｔｉｏｎスキームを利用する。
【００９９】
ＰＵＣＣＨ  Ｆｏｒｍａｔ  １ｂ  ｗｉｔｈ  ｃｈａｎｎｅｌ  ｓｅｌｅｃｔｉｏｎスキームで、ＰＣＣにおけるアップリンクサブフレームｎにおいて、ＡＣＫ／ＮＡＣＫフィードバック情報に基づいて、対応するＡＣＫ／ＮＡＣＫマッピングテーブルを検索し、ＡＣＫ／ＮＡＣＫフィードバック情報に対応するＰＵＣＣＨフォーマット１ｂが搬送する２ビット情報ｂ０、ｂ1を確定し、各アンテナポートに対応するチャネルリソースを確定し、各アンテナポートに対応するチャネルリソースにおいて、ＰＵＣＣＨフォーマット１ｂを用いて、ｂ０、ｂ1を伝送する。
【０１００】
ＭＳ＝０である場合、候補チャネルリソースにおいて、チャネル選択により、ＡＣＫ／ＮＡＣＫフィードバック情報を伝送する場合、ＰＣＣに対応するＡＣＫ／ＮＡＣＫフィードバック情報のみ伝送する。かつ、ＡＣＫ／ＮＡＣＫマッピングテーブルは、ＴＤＤシステム単一キャリア構成におけるマッピングテーブルである。
【０１０１】
図４に示すように、本発明に係る基地局側に対応する異なるアップ／ダウンリンク構成のキャリア・アグリゲーションフィードバック方法は、以下のステップＳ４０１からステップＳ４０３を備える。
【０１０２】
ステップＳ４０１において、各キャリアに対応する時分割二重ＴＤＤアップ／ダウンリンク構成に基づいて、現在アップリンクサブフレームにてＡＣＫ／ＮＡＣＫフィードバックされるべきサブフレーム数Ｍを確定する。
サブフレーム数Ｍは、それぞれ各キャリアに対応するＴＤＤアップ／ダウンリンク構成に基づいて確定した、各キャリアにおける現在アップリンクサブフレームにてＡＣＫ／ＮＡＣＫフィードバックされるべきサブフレーム数の最大値である。
ここで、各キャリアに対応するシステム情報により設定したＴＤＤアップ／ダウンリンク構成には、少なくとも２種類のＴＤＤアップ／ダウンリンク構成が含まれる。前記ＴＤＤアップ／ダウンリンクは、基地局が当該キャリアのＡＣＫ／ＮＡＣＫフィードバック情報を受信するタイミング関係を確定する。
【０１０３】
ステップＳ４０２において、Ｍ値に基づいて、チャネル選択の候補チャネルリソースを確定する。
【０１０４】
ステップＳ４０３において、候補チャネルリソースにおいて、チャネル選択にかかるＰＵＣＣＨ  ｆｏｒｍａｔ  １ｂにより、ＡＣＫ／ＮＡＣＫフィードバック情報を受信する。
【０１０５】
Ｍは、ＭＰとＭＳ最大値である。ここで、ＭＰは、プライマリーキャリア（ＰＣＣ）に対応するＴＤＤアップ／ダウンリンク構成に基づいて確定した、当該キャリアにおける現在アップリンクサブフレームにてＡＣＫ／ＮＡＣＫフィードバックされるべきサブフレーム数である。
ＭＳは、セカンダリーキャリア（ＳＣＣ）に対応するＴＤＤアップ／ダウンリンク構成に基づいて確定した、当該キャリアにおける現在アップリンクサブフレームにてＡＣＫ／ＮＡＣＫフィードバックされるべきサブフレーム数である。
基地局がＡＣＫ／ＮＡＣＫフィードバック情報を受信するタイミング関係は、ＡＣＫ／ＮＡＣＫフィードバックを実行しなければならないダウンリンクサブフレームと当該ダウンリンクサブフレームのＡＣＫ／ＮＡＣＫフィードバックを伝送するアップリンクサブフレームとの対応関係である。
【０１０６】
ここで、確定した当該キャリアにおける現在アップリンクサブフレームにてＡＣＫ／ＮＡＣＫフィードバックされるべきサブフレーム数は、キャリアに対応するＴＤＤアップ／ダウンリンク構成に基づいて確定した、現在アップリンクサブフレームに対応するキャリアにおけるサブフレーム集合内のサブフレーム個数である。
【０１０７】
または、キャリアに対応するＴＤＤアップ／ダウンリンク構成に基づいて確定した、現在アップリンクサブフレームに対応するキャリアにおけるサブフレーム集合内のダウンリンクサブフレーム個数である。
【０１０８】
または、キャリアに対応するＴＤＤアップ／ダウンリンク構成に基づいて確定した、現在アップリンクサブフレームに対応するキャリアにおけるサブフレーム集合内の使用可能ダウンリンクサブフレーム個数である。または、
【０１０９】
キャリアに対応するＴＤＤアップ／ダウンリンク構成に基づいて、現在アップリンクサブフレームに対応するダウンリンクインデックス集合がないことを確定した場合、キャリアにおける現在アップリンクサブフレームにてＡＣＫ／ＮＡＣＫフィードバックされるべきサブフレーム数は０である。
【０１１０】
ここで、キャリアにおけるサブフレーム集合は、キャリアに対応するＴＤＤアップ／ダウンリンク構成に基づいて確定した、現在アップリンクサブフレームに対応するダウンリンクインデックス集合内の各エレメントが確定したキャリアにおける各サブフレームの集合である。
【０１１１】
ここで、使用可能ダウンリンクサブフレームは、具体的に、サブフレーム集合内のダムダウンリンクサブフレームを除いたダウンリンクサブフレームである。
ダムダウンリンクサブフレームは、スケジューリングシグナルを獲得できないダウンリンクサブフレームおよび／または伝送方向はアップリンクであると確定したダウンリンクサブフレームを備える。
【０１１２】
ステップＳ４０３において、候補チャネルリソースにおけるチャネル選択にかかるＰＵＣＣＨ  ｆｏｒｍａｔ  １ｂによるＡＣＫ／ＮＡＣＫフィードバック情報の受信は、各ダウンリンクキャリアにおいてＱ*Ｍビットに対応するＡＣＫ／ＮＡＣＫフィードバック情報を確定することをさらに備える。
ここで、Ｍ＝１、かつ当該ダウンリンクキャリアがマルチコードワード伝送モードを採用して伝送する場合、Ｑ＝２である。そうでない場合はＱ＝１である。
【０１１３】
候補チャネルリソースにおける、チャネル選択にかかるＰＵＣＣＨ  ｆｏｒｍａｔ  １ｂによるＡＣＫ／ＮＡＣＫフィードバック情報の受信は、当該ダウンリンクキャリアに対応するＴＤＤアップ／ダウンリンク構成に基づいて確定した、当該ダウンリンクキャリアにおける現在アップリンクサブフレームにてＡＣＫ／ＮＡＣＫフィードバックされるべきサブフレーム個数ＡがＭ値より小さい場合、当該ダウンリンクキャリアに対応する現在アップリンクサブフレームにてＡＣＫ／ＮＡＣＫフィードバックされるべきＡ個のサブフレームのＡＣＫ／ＮＡＣＫフィードバック情報を当該ダウンリンクキャリアのＱ*ＭビットのＡＣＫ／ＮＡＣＫフィードバック情報シーケンスの前のＱ＊Ａビットの位置にマッピングすることを確定することをさらに備える。
【０１１４】
ＭＳが０である場合、候補チャネルリソースにおけるチャネル選択にかかるＰＵＣＣＨ  ｆｏｒｍａｔ  １ｂによるＡＣＫ／ＮＡＣＫフィードバック情報の受信は、ＡＣＫ／ＮＡＣＫフィードバック情報をＰＣＣに対応するＭビットＡＣＫ／ＮＡＣＫフィードバック情報として確定し、ＰＣＣにおいて同一ダウンリンクサブフレームにおけるマルチコードワードのＡＣＫ／ＮＡＣＫフィードバック情報を空間バンドリングすることをさらに備える。
【０１１５】
ステップＳ４０２において、Ｍ値に基づくチャネル選択の候補チャネルリソースの確定は、以下で具体的に説明する。
【０１１６】
ＰＣＣにおいて伝送するＰＤＣＣＨに対応するＰＤＳＣＨおよび／またはＰＣＣにおいて伝送するダウンリンクＳＰＳリソースのリリースを指示するＰＤＳＣＨの場合、ＰＤＣＣＨの最小制御チャネルエレメント（ＣＣＥ）ナンバーに基づいて、チャネルリソースを確定する。
【０１１７】
ＰＣＣにおいて伝送する、ＰＤＣＣＨに対応しないＰＤＳＣＨの場合、当該ＰＤＳＣＨ活性化を指示するＰＤＣＣＨにおける発送電力制御フィールド（ＴＰＣフィールド）に基づいて、チャネルリソースを確定する。
ここで、ＴＰＣフィールド上位層シグナルが事前に設定した複数組チャネルリソースにおける１組または複数チャネルリソースにおける１個を指し示す。
【０１１８】
ＳＣＣにおいて伝送する、ＰＤＣＣＨに対応するＰＤＳＣＨの場合、ＰＤＣＣＨにおけるＴＰＣフィールドに基づいて、チャネルリソースを確定する。
または、ＳＣＣにおいて伝送する、ＰＤＣＣＨに対応するＰＤＳＣＨの場合、ＰＤＣＣＨをＰＣＣにおけるＭＰ個サブフレームにおける使用可能ダウンリンクサブフレームにて伝送する場合、ＰＤＳＣＨに対応するチャネルリソースＰＤＣＣＨの最小ＣＣＥナンバーに基づいて、チャネルリソースを確定する。そうでない場合は、ＰＤＣＣＨにおけるＴＰＣフィールドに基づいて、チャネルリソースを確定。
または、ＳＣＣにおいて伝送する、ＰＤＣＣＨに対応するＰＤＳＣＨの場合、ＭＰが０、ＭＳが０より大きい、かつＰＤＣＣＨをＰＣＣにおいて伝送する場合、ＰＤＣＣＨの最小ＣＣＥナンバーに基づいて、チャネルリソースを確定する。そうでない場合は、ＰＤＣＣＨにおけるＴＰＣフィールドに基づいて、チャネルリソースを確定する。
ここで、ＴＰＣフィールド上位層シグナルが事前に設定した複数組チャネルリソースにおける１組または複数チャネルリソースにおける１個を指し示す。
【０１１９】
Ｍが２より大きい場合、ＰＤＣＣＨの最小ＣＣＥナンバーに基づいて、ＰＤＣＣＨの最小ＣＣＥナンバーに基づいて、チャネルリソースを確定し、前記ＰＤＣＣＨが、ＤＡＩ値が１であるＰＤＣＣＨまたはＤＡＩ値が２であるＰＤＣＣＨである。
【０１２０】
ＭＳが０である場合、ＰＣＣにおけるＭＰ個ダウンリンクサブフレームにおけるＰＤＣＣＨの最小ＣＣＥナンバーのみに基づいて、ＭＰ個チャネルリソースより小さいと確定する。
【０１２１】
具体的に、ＰＤＣＣＨの最小ＣＣＥナンバーに基づく、チャネルリソースの確定は、＜数６＞に基づいてチャネルリソースナンバーを確定することを備える。
【０１２２】
ここで、ＭＰ０は、ＰＣＣに対応するシステム情報に設定したＴＤＤアップ／ダウンリンク構成に基づいて確定した、現在アップリンクサブフレームに対応するダウンリンクインデックス集合に対K:｛ｋ0、ｋ１・・・ｋＭｐ0-１｝におけるエレメント個数である。
ｍは、ＰＣＣにおいて伝送するＰＤＣＣＨが位置するダウンリンクサブフレームｎ−ｋｍに対応するダウンリンクインデックスｋｍが集合Ｋにおける位置インデックスであり、且つ＜数７＞を満足する。
cは｛０，１，２，３｝から選択した、＜数８＞、＜数９＞を満たす値である。
【０１２３】
【数１８】
0006333349.tif 000023
【０１２４】
ＰＣＣに対応するシステム情報に設定したＴＤＤアップ／ダウンリンク構成がＴＤＤアップ／ダウンリンク構成０、かつＭＳ＞０である場合、ＭＰ0＝１、ｍ＝０であると確定できる。
【０１２５】
ステップＳ４０３において、同様にＰＵＣＣＨ  Ｆｏｒｍａｔ  １ｂ  ｗｉｔｈ  ｃｈａｎｎｅｌ  ｓｅｌｅｃｔｉｏｎ方式を用いて、候補チャネルリソースにおいてチャネル選択により、端末設備が送信したＡＣＫ／ＮＡＣＫフィードバック情報を受信する。
【０１２６】
これに応じて、図５に示すように、本発明に係る異なるＴＤＤアップ／ダウンリンク構成のキャリア・アグリゲーションフィードバック装置は、端末設備とすることができる。端末設備は、サブフレーム数確定ユニット５０１と、フィードバック情報確定ユニット５０２と、チャネルリソース確定ユニット５０３と、伝送ユニット５０４とを備える。以下で具体的に説明する。
【０１２７】
前記サブフレーム数確定ユニット５０１は、各キャリアに対応する時分割二重ＴＤＤアップ／ダウンリンク構成に基づいて、現在アップリンクサブフレームにてＡＣＫ／ＮＡＣＫフィードバックされるべきサブフレーム数Ｍを確定する。
サブフレーム数Ｍは、それぞれ各キャリアに対応するＴＤＤアップ／ダウンリンク構成に基づいて確定した、各キャリアにおける現在アップリンクサブフレームにてＡＣＫ／ＮＡＣＫフィードバックされるべきサブフレーム数の最大値である。
ここで、各キャリアに対応するシステム情報により設定したＴＤＤアップ／ダウンリンク構成には、少なくとも２種類のＴＤＤアップ／ダウンリンク構成が含まれる。
前記ＴＤＤアップ／ダウンリンク構成は、ＵＥが当該キャリアのＡＣＫ／ＮＡＣＫフィードバック情報を報告するタイミング関係を確定する。
【０１２８】
フィードバック情報確定ユニット５０２は、Ｍ値に基づいて、現在アップリンクサブフレームにて伝送するＡＣＫ／ＮＡＣＫフィードバック情報を確定する。
【０１２９】
前記チャネルリソース確定ユニット５０３は、Ｍ値に基づいて、チャネル選択の候補チャネルリソースを確定する。
【０１３０】
前記伝送ユニット５０４は、候補チャネルリソースにおいて、チャネル選択にかかるＰＵＣＣＨ  ｆｏｒｍａｔ  １ｂにより、ＡＣＫ／ＮＡＣＫフィードバック情報を伝送する。
【０１３１】
ここで、Ｍは、ＭＰとＭＳの最大値である。
当該ＭＰは、プライマリーキャリア（ＰＣＣ）に対応するＴＤＤアップ／ダウンリンク構成に基づいて確定した、当該キャリアにおける現在アップリンクサブフレームにてＡＣＫ／ＮＡＣＫフィードバックされるべきサブフレーム数である。
当該ＭＳは、セカンダリーキャリア（ＳＣＣ）に対応するＴＤＤアップ／ダウンリンク構成に基づいて確定した当該キャリアにおける現在アップリンクサブフレームにてＡＣＫ／ＮＡＣＫフィードバックされるべきサブフレーム数である。
ＵＥがＡＣＫ／ＮＡＣＫフィードバック情報を報告するタイミング関係は、ＡＣＫ／ＮＡＣＫフィードバックを実行しなければならないダウンリンクサブフレームと当該ダウンリンクサブフレームのＡＣＫ／ＮＡＣＫフィードバックを伝送するアップリンクサブフレームとの対応関係である。
【０１３２】
ここで、確定したキャリアにおける現在アップリンクサブフレームにてＡＣＫ／ＮＡＣＫフィードバックされるべきサブフレーム数は、キャリアに対応するＴＤＤアップ／ダウンリンク構成に基づいて確定した、現在アップリンクサブフレームに対応するキャリアにおけるサブフレーム集合内のサブフレーム個数である。
【０１３３】
または、キャリアに対応するＴＤＤアップ／ダウンリンク構成に基づいて確定した、現在アップリンクサブフレームに対応するキャリアにおけるサブフレーム集合内のダウンリンクサブフレーム個数である。
【０１３４】
または、キャリアに対応するＴＤＤアップ／ダウンリンク構成に基づいて確定した、現在アップリンクサブフレームに対応するキャリアにおけるサブフレーム集合内の使用可能ダウンリンクサブフレーム個数である。
【０１３５】
または、キャリアに対応するＴＤＤアップ／ダウンリンク構成に基づいて、現在アップリンクサブフレームに対応するダウンリンクインデックス集合がないことを確定した場合、キャリアにおける現在アップリンクサブフレームにてＡＣＫ／ＮＡＣＫフィードバックされるべきサブフレーム数は０である。
【０１３６】
ここで、キャリアにおけるサブフレーム集合は、キャリアに対応するＴＤＤアップ／ダウンリンク構成に基づいて確定した、現在アップリンクサブフレームに対応するダウンリンクインデックス集合内の各エレメントが確定したキャリアにおける各サブフレームの集合である。
【０１３７】
ここで、使用可能ダウンリンクサブフレームは、具体的に、  サブフレーム集合内のダムダウンリンクサブフレームを除いたダウンリンクサブフレームである。
ダムダウンリンクサブフレームは、スケジューリングシグナルを獲得できないダウンリンクサブフレームおよび／または伝送方向はアップリンクであると確定したダウンリンクサブフレームを備える。
【０１３８】
フィードバック情報確定ユニット５０２は具体的に、各ダウンリンクキャリアに対してＱ*ＭビットのＡＣＫ／ＮＡＣＫフィードバック情報を発生させる。ここで、Ｍ＝１、かつ当該ダウンリンクキャリアがマルチコードワード伝送モードを採用して伝送する場合、Ｑ＝２である。そうでない場合はＱ＝１である。
【０１３９】
フィードバック情報確定ユニット５０２は、当該ダウンリンクキャリアに対応するＴＤＤアップ／ダウンリンク構成に基づいて確定した、当該ダウンリンクキャリアにおける現在アップリンクサブフレームにてＡＣＫ／ＮＡＣＫフィードバックされるべきサブフレーム個数ＡがＭ値より小さい場合、当該ダウンリンクキャリアに対応する現在アップリンクサブフレームにてＡＣＫ／ＮＡＣＫフィードバックされるべきサブフレームのＡＣＫ／ＮＡＣＫフィードバック情報を当該ダウンリンクキャリアのＱ*ＭビットのＡＣＫ／ＮＡＣＫフィードバック情報シーケンスの前のＱ＊Ａビットの位置にマッピングする。かつ、Ｑ＊Ａビット後のＱ＊（Ｍ―Ａ）ビットのＮＡＣＫ／ＤＴＸに補充する。
ここで、当該ダウンリンクキャリアに対応する現在アップリンクサブフレームにてＡＣＫ／ＮＡＣＫフィードバックされるべきＡ個のサブフレームにおける物理ダウンリンク共有チャネル（ＰＤＳＣＨ）および／またはダウンリンク半永続スケジューリング（ＳＰＳ）リソースにリリースを指示する物理ダウンリンク制御チャネル（ＰＤＣＣＨ）を受信していないサブフレームに対して、ＱビットＮＡＣＫ／ＤＴＸを発生させ、フィードバック情報とする。
【０１４０】
ＭＳが０である場合、フィードバック情報確定ユニット５０２はさらに、ＰＣＣに対応するＭビットＡＣＫ／ＮＡＣＫフィードバック情報を現在アップリンクサブフレームにて伝送するＡＣＫ／ＮＡＣＫフィードバック情報とすることを確定する。かつ、ＰＣＣにおいて同一ダウンリンクサブフレームにおけるマルチコードワードのＡＣＫ／ＮＡＣＫフィードバック情報を空間バンドリングする。ＰＤＳＣＨおよび／または指示ダウンリンクＳＰＳリソースリリースのＰＤＣＣＨを受信していないダウンリンクサブフレームに対して、ＮＡＣＫ／ＤＴＸを発生させ、フィードバック情報とする。
【０１４１】
チャネルリソース確定ユニット５０３は、ＰＣＣにおいて伝送するＰＤＣＣＨに対応するＰＤＳＣＨおよび／またはＰＣＣにおいて伝送するダウンリンクＳＰＳリソースのリリースを指示するＰＤＳＣＨの場合、ＰＤＣＣＨの最小制御チャネルエレメント（ＣＣＥ）ナンバーに基づいて、チャネルリソースを確定する。
【０１４２】
また、チャネルリソース確定ユニット５０３は、ＰＣＣにおいて伝送する、ＰＤＣＣＨに対応しないＰＤＳＣＨの場合、当該ＰＤＳＣＨ活性化を指示するＰＤＣＣＨにおける発送電力制御フィールド（ＴＰＣフィールド）に基づいて、チャネルリソースを確定する。
ここで、ＴＰＣフィールド上位層シグナルが事前に設定した複数組チャネルリソースにおける１組または複数チャネルリソースにおける１個を指し示す。
【０１４３】
また、チャネルリソース確定ユニット５０３は、ＳＣＣにおいて伝送する、ＰＤＣＣＨに対応するＰＤＳＣＨの場合、ＰＤＣＣＨにおけるＴＰＣフィールドに基づいて、チャネルリソースを確定する。
または、ＳＣＣにおいて伝送する、ＰＤＣＣＨに対応するＰＤＳＣＨの場合，ＰＤＣＣＨをＰＣＣにおけるＭＰ個サブフレームにおける使用可能ダウンリンクサブフレームにて伝送する場合、ＰＤＣＣＨの最小ＣＣＥナンバーに基づいて、チャネルリソースを確定する。そうでない場合は、ＰＤＣＣＨにおけるＴＰＣフィールドに基づいて、チャネルリソースを確定する。
または、ＳＣＣにおいて伝送する、ＰＤＣＣＨに対応するＰＤＳＣＨの場合、ＭＰが０であり、ＭＳが０より大きい、かつＰＤＣＣＨをＰＣＣにおいて伝送する場合，ＰＤＣＣＨの最小ＣＣＥナンバーに基づいて、チャネルリソースを確定する。そうでない場合は、ＰＤＣＣＨにおけるＴＰＣフィールドに基づいて、チャネルリソースを確定する。
ここで、ＴＰＣフィールド上位層シグナルが事前に設定した複数組チャネルリソースにおける１組または複数チャネルリソースにおける１個を指し示す。
【０１４４】
また、チャネルリソース確定ユニット５０３は、Ｍ値が２より大きい場合、ＰＤＣＣＨの最小ＣＣＥナンバーに基づいて、チャネルリソースを確定し、前記ＰＤＣＣＨが、ＤＡＩ値が１であるＰＤＣＣＨまたはＤＡＩ値が２であるＰＤＣＣＨである。
【０１４５】
また、チャネルリソース確定ユニット５０３は、ＭＳが０である場合、ＰＣＣにおけるＭＰ個ダウンリンクサブフレームにおけるＰＤＣＣＨの最小ＣＣＥナンバーのみに基づいて、ＭＰ個チャネルリソースより小さいと確定する。
【０１４６】
チャネルリソース確定ユニット５０３において、ＰＤＣＣＨの最小ＣＣＥナンバーに基づくチャネルリソースの確定は、＜数６＞に基づいてチャネルリソースナンバーを確定することを備える。
【０１４７】
ここで、ＭＰ０は、ＰＣＣに対応するシステム情報に設定したＴＤＤアップ／ダウンリンク構成に基づいて確定した、現在アップリンクサブフレームに対応するダウンリンクインデックス集合に対K:｛ｋ0、ｋ１・・・ｋＭｐ0-１｝におけるエレメント個数である。
ｍは、ＰＣＣにおいて伝送するＰＤＣＣＨが位置するダウンリンクサブフレームｎ−ｋｍに対応するダウンリンクインデックスｋｍが集合Ｋにおける位置インデックスであり、且つ＜数７＞を満足する。
cは｛０，１，２，３｝から選択した、＜数８＞、＜数９＞を満たす値である。
【０１４８】
【数１９】
0006333349.tif 000024
【０１４９】
ＰＣＣに対応するシステム情報に設定したＴＤＤアップ／ダウンリンク構成がＴＤＤアップ／ダウンリンク構成０、かつＭＳ＞０である場合、ＭＰ0＝１、ｍ＝０であると確定できる。
【０１５０】
以下に具体的な実施形態に基づき説明する。
【０１５１】
ＳＩＢ１情報にて設定したＰＣＣのアップ／ダウンリンク構成は、配置２であり、ＳＣＣのアップ／ダウンリンク構成は構成０であり、ＰＣＣとＳＣＣのＤＬＨＡＲＱｔｉｍｉｎｇは、アップ／ダウンリンク構成２に対応する。
図６に示すように、ＵＥがＰＣＣにおけるサブフレーム７ＰＵＣＣＨ  ｆｏｒｍａｔ  １ｂ  ｗｉｔｈ  ｃｈａｎｎｅｌ  ｓｅｌｅｃｔｉｏｎを用いてＡＣＫ／ＮＡＣＫを伝送する場合、ＰＣＣとＳＣＣのＤＬＨＡＲＱ  ｔｉｍｉｎｇに対応するアップ／ダウンリンク構成２において、サブフレーム７はダウンリンクインデックス位置  集合Ｋ：｛８，７，４，６｝に対応する。当該集合内のエレメントに対応するサブフレーム集合はサブフレーム９、０、１、３である。ＰＣＣの場合は、当該サブフレーム集合内の使用可能ダウンリンクサブフレームはサブフレーム９、０、１、３である。即ち、ＭＰ＝４である。ＳＣＣの場合は、当該サブフレーム集合内の使用可能ダウンリンクサブフレームは、サブフレーム０、１である。即ち、ＭＳ＝２である。よって、ＵＥは、サブフレーム７に対応するＭは、ｍａｘ(ＭＰ,に対ＭＳ）＝４であると確定する。
【０１５２】
ＵＥはさらに、各ダウンリンクキャリアに対して、４ビットＡＣＫ／ＮＡＣＫフィードバック情報を発生させることを確定する。ここで、ＰＣＣの４ビットフィードバック情報は、ＰＣＣにおいてサブフレーム７に対応する使用可能ダウンリンクサブフレーム順序に基づいて、｛ＨＡＲＱ-ＡＣＫ（０），ＨＡＲＱ-ＡＣＫ（１），ＨＡＲＱ-ＡＣＫ（２），ＨＡＲＱ-ＡＣＫ（３）｝を生成する。ＳＣＣの場合、サブフレーム７に対応する使用可能ダウンリンクサブフレーム順序に基づいて、サブフレーム０、１のＡＣＫ／ＮＡＣＫフィードバック情報を生成する。かつ、これの後に２ビットＮＡＣＫ／ＤＴＸを補充し、｛ＨＡＲＱ-ＡＣＫ（０），ＨＡＲＱ-ＡＣＫ（１），ＮＡＣＴ／ＤＴＸ，ＮＡＣＴ／ＤＴＸ｝獲得する。
【０１５３】
ＰＣＣにおいて伝送するＰＤＳＣＨに対応するＰＤＣＣＨ、またはダウンリンクＳＰＳリソースのリリースを指示するＰＤＣＣＨにおけるＤＡＩ値が１と２であるＰＤＣＣＨの最小ＣＣＥに基づいて、２個チャネルリソース（マルチアンテナポート（即ち、２アンテナポートＳＯＲＴＤ）伝送を行う場合、さらに各ＰＤＣＣＨの最小ＣＣＥナンバー（＋１）に基づいて、さらに２チャネルリソースを確定し、第２アンテナポートに用いる。）を確定する。それぞれ各アンテナポートにおける４候補チャネルリソースにおける
【０１５４】
【数２０】
0006333349.tif 000025
【０１５５】
に対応する。ＳＣＣがクロス・キャリア・スケジューリング場合である、それぞれＳＣＣにおいて伝送するＰＤＳＣＨに対応するＰＤＣＣＨにおけるＤＡＩ値が１と２であるＰＤＣＣＨの最小ＣＣＥに基づいて、２チャネルリソースを確定する。
【０１５６】
ここで、ＭＰ０は、ＰＣＣ  ＳＩＢ１情報が通知するアップ／ダウンリンク構成におけるサブフレーム７に対応するダウンリンクサブフレーム個数である。即ちＭＰ0＝４である。
ＳＣＣ上のサブフレーム０は、ＰＣＣのＭＰ0個サブフレームにおける第２個サブフレームである。即ち、Ｍ＝１である。
ＳＣＣ上のサブフレーム１は、ＰＣＣのＭＰ0個サブフレームにおける第４サブフレームである。即ち、ｍ＝３である。ＳＣＣが本キャリア・スケジューリングである場合、ＳＣＣにおいて伝送するＰＤＳＣＨに対応するＰＤＣＣＨにおけるにＴＰＣフィールドに基づいて、上位層シグナルが事前に設定したチャネルリソース（単一アンテナポート伝送を行う、１組のチャネルリソースに２リソースを備える。マルチアンテナポート（即ち、２アンテナポートＳＯＲＴＤ）伝送を行う場合、１組のチャネルリソースに４リソースを備える）を確定する。それぞれ各アンテナポートにおける４候補チャネルリソースにおける
【０１５７】
【数２１】
0006333349.tif 000026
【０１５８】
に対応する。または、ＳＣＣがクロス・キャリア・スケジューリングであろうとなかろうと、常時にＳＣＣにおいて伝送するＰＤＳＣＨに対応するＰＤＣＣＨにおけるＴＰＣフィールドに基づいて、上位層シグナルが事前に設定したチャネルリソース（単一アンテナポート伝送を行う場合、１組のチャネルリソースに２リソースを備える。マルチアンテナポート（即ち、２アンテナポートＳＯＲＴＤ）伝送を行う場合、１組のチャネルリソースに４リソースを備える。）を確定する。それぞれ各アンテナポートにおける４候補チャネルリソースにおける
【数２２】
0006333349.tif 000027
【０１５９】
に対応する。
【０１６０】
ＵＥは、ＴＳ３６．２１３にて定義したＭ＝４に対応するＡＣＫ／ＮＡＣＫマッピングテーブル（表１０．１．３．２−６）を用いる。各キャリアのＡＣＫ／ＮＡＣＫフィードバック情報に基づいて、テーブルを検索し、チャネルリソースとＰＵＣＣＨ  ｆｏｒｍａｔ  １ｂが携帯する情報ｂ０、ｂ1を選択する。選択したチャネルリソースにおいてＰＵＣＣＨ  ｆｏｒｍａｔ  １を用いて、ｂ０、ｂ1を伝送する。
【０１６１】
基地局側は、ＵＥ側と同様の方式に従い、サブフレーム７に対応するＭと４チャネルリソースを確定し、これら、４チャネルリソースにおける情報検知を行う。検知した情報のチャネルリソースナンバーおよび検知したｂ０、ｂ1に基づいて、Ｍ＝４に対応するＡＣＫ／ＮＡＣＫマッピングテーブル（表１０．１．３．２−６）を検索し、各ダウンリンクキャリア的ＡＣＫ／ＮＡＣＫフィードバック情報を獲得する。かつ、当該情報に基づいて、ダウンリンクデータを再送する。
【０１６２】
説明が必要な点として、前記のＭに基づいて、ＡＣＫ／ＮＡＣＫフィードバック情報とチャネル選択の候補チャネルリソースを確定する実施形態において、各ダウンリンクキャリアにて現在サブフレームｎに対応するサブフレームのＡＣＫ／ＮＡＣＫフィードバック情報が端末設備にて生成したＡＣＫ／ＮＡＣＫフィードバック情報シーケンスにおける位置マッピング関係と、獲得したチャネルリソースとチャネル選択の候補チャネルリソースとのマッピング関係は、Ｒｅｌ−１０におけるマルチキャリア配置におけるＰＵＣＣＨ  ｆｏｒｍａｔ  １ｂ  ｗｉｔｈ  ｃｈａｎｎｅｌ  ｓｅｌｃｔｉｏｎと同じである。
【０１６３】
説明が必要な点として、前記実施形態の方法をＴＤＤキャリアとＦＤＤキャリア・アグリゲーションに適用する場合、ＴＤＤキャリアをＰＣＣとし、かつＦＤＤキャリアのＤＬ  ＨＡＲＱ  ｔｉｍｉｎｇは、ＴＤＤアップ／ダウンリンク構成のシーンに対応する。
【０１６４】
図７に示すように、本発明に係る異なるアップ／ダウンリンク構成のキャリア・アグリゲーションフィードバック装置は、基地局等ネットワーク側設備とすることができ、フィードバックサブフレーム数確定ユニット７０１と、候補チャネルリソース確定ユニット７０２と、受信ユニット７０３とを備える。
【０１６５】
前記フィードバックサブフレーム数確定ユニット７０１は、各キャリアに対応する時分割二重ＴＤＤアップ／ダウンリンク構成に基づいて、現在アップリンクサブフレームにてＡＣＫ／ＮＡＣＫフィードバックされるべきサブフレーム数Ｍを確定する。サブフレーム数Ｍは、それぞれ各キャリアに対応するＴＤＤアップ／ダウンリンク構成に基づいて確定した、各キャリアにおける現在アップリンクサブフレームにてＡＣＫ／ＮＡＣＫフィードバックされるべきサブフレーム数の最大値である。
ここで、各キャリアに対応するシステム情報により設定したＴＤＤアップ／ダウンリンク構成には、少なくとも２種類のＴＤＤアップ／ダウンリンク構成が含まれる。
ＴＤＤアップ／ダウンリンクは、基地局が当該キャリアのＡＣＫ／ＮＡＣＫフィードバック情報を受信するタイミング関係を確定する。
【０１６６】
前記候補チャネルリソース確定ユニット７０２は、Ｍ値に基づいて、チャネル選択の候補チャネルリソースを確定する。
【０１６７】
前記受信ユニット７０３は、候補チャネルリソースにおいて、チャネル選択にかかるＰＵＣＣＨ  ｆｏｍａｔ  １ｂにより、端末設備が送信したＡＣＫ／ＮＡＣＫフィードバック情報を受信する。
【０１６８】
ここで、Ｍは、ＭＰとＭＳの最大値である。
ＭＰは、プライマリーキャリア（ＰＣＣ）に対応するＴＤＤアップ／ダウンリンク構成に基づいて確定した、当該キャリアにおける現在アップリンクサブフレームにてＡＣＫ／ＮＡＣＫフィードバックされるべきサブフレーム数である。
ＭＳは、セカンダリーキャリア（ＳＣＣ）に対応するＴＤＤアップ／ダウンリンク構成に基づいて確定した、当該キャリアにおける現在アップリンクサブフレームにてＡＣＫ／ＮＡＣＫフィードバックされるべきサブフレーム数である。基地局がＡＣＫ／ＮＡＣＫフィードバック情報を受信するタイミング関係は、ＡＣＫ／ＮＡＣＫフィードバックを実行しなければならないダウンリンクサブフレームと当該ダウンリンクサブフレームのＡＣＫ／ＮＡＣＫフィードバック情報を伝送するアップリンクサブフレームとの対応関係である。
【０１６９】
具体的に、確定したキャリアにおける現在アップリンクサブフレームにてＡＣＫ／ＮＡＣＫフィードバックされるべきサブフレーム数は、キャリアに対応するＴＤＤアップ／ダウンリンク構成に基づいて確定した、現在アップリンクサブフレームに対応するキャリアにおけるサブフレーム集合内のサブフレーム個数である。
【０１７０】
または、キャリアに対応するＴＤＤアップ／ダウンリンク構成に基づいて確定した、現在アップリンクサブフレームに対応するキャリアにおけるサブフレーム集合内のダウンリンクサブフレーム個数である。
【０１７１】
または、キャリアに対応するＴＤＤアップ／ダウンリンク構成に基づいて確定した、現在アップリンクサブフレームに対応するキャリアにおけるサブフレーム集合内の使用可能ダウンリンクサブフレーム個数である。
【０１７２】
または、キャリアに対応するＴＤＤアップ／ダウンリンク構成に基づいて、現在アップリンクサブフレームに対応するダウンリンクインデックス集合がないことを確定した場合、キャリアにおける現在アップリンクサブフレームにてＡＣＫ／ＮＡＣＫフィードバックされるべきサブフレーム数は０である。
【０１７３】
ここで、キャリアにおけるサブフレーム集合は、キャリアに対応するＴＤＤアップ／ダウンリンク構成に基づいて確定した、現在アップリンクサブフレームに対応するダウンリンクインデックス集合内の各エレメントが確定したキャリアにおける各サブフレームの集合である。
【０１７４】
ここで、使用可能ダウンリンクサブフレームは、サブフレーム集合内のダムダウンリンクサブフレームを除いたダウンリンクサブフレームである。
ここで、ダムダウンリンクサブフレームは、スケジューリングシグナルを獲得できないダウンリンクサブフレームおよび／または伝送方向はアップリンクであると確定したダウンリンクサブフレームを備える。
【０１７５】
受信ユニット７０３は、各ダウンリンクキャリアＱ*Ｍビットに対応するＡＣＫ／ＮＡＣＫフィードバック情報を確定する。
ここで、Ｍ＝１、かつ当該ダウンリンクキャリアがマルチコードワード伝送モードを採用して伝送する場合、Ｑ＝２である。そうでない場合はＱ＝１である。
【０１７６】
受信ユニット７０３具体的に、当該ダウンリンクキャリアに対応するＴＤＤアップ／ダウンリンク構成基づいて確定した、当該ダウンリンクキャリアにおける現在アップリンクサブフレームにてＡＣＫ／ＮＡＣＫフィードバックされるべきサブフレーム個数ＡがＭ値より小さい場合、当該ダウンリンクキャリアに対応する現在アップリンクサブフレームにてＡＣＫ／ＮＡＣＫフィードバックされるべきＡ個のサブフレームのＡＣＫ／ＮＡＣＫフィードバック情報を当該ダウンリンクキャリアのＱ*ＭビットのＡＣＫ／ＮＡＣＫフィードバック情報シーケンスの前のＱ＊Ａビットの位置にマッピングすることを確定する。
【０１７７】
ＭＳが０である場合、受信ユニット７０３は、さらに、ＡＣＫ／ＮＡＣＫフィードバック情報は、ＰＣＣに対応するＭビットＡＣＫ／ＮＡＣＫフィードバック情報であることを確定する。かつ、ＰＣＣにおいて同一ダウンリンクサブフレームにおけるマルチコードワードのＡＣＫ／ＮＡＣＫフィードバック情報を空間バンドリングする。
【０１７８】
候補チャネルリソース確定ユニット７０２は、ＰＣＣにおいて伝送するＰＤＣＣＨに対応するＰＤＳＣＨおよび／またはＰＣＣにおいて伝送するダウンリンクＳＰＳリソースのリリースを指示するＰＤＳＣＨの場合、ＰＤＣＣＨの最小制御チャネルエレメント（ＣＣＥ）ナンバーに基づいて、チャネルリソースを確定する。
【０１７９】
また、候補チャネルリソース確定ユニット７０２は、ＰＣＣにおいて伝送する、ＰＤＣＣＨに対応しないＰＤＳＣＨの場合、当該ＰＤＳＣＨ活性化を指示するＰＤＣＣＨにおける発送電力制御フィールド（ＴＰＣフィールド）に基づいて、チャネルリソースを確定する。ここで、ＴＰＣフィールド上位層シグナルが事前に設定した複数組チャネルリソースにおける１組または複数チャネルリソースにおける１個を指し示す。
【０１８０】
また、候補チャネルリソース確定ユニット７０２は、ＳＣＣにおいて伝送する、ＰＤＣＣＨに対応するＰＤＳＣＨの場合、ＰＤＣＣＨにおけるＴＰＣフィールドに基づいて、チャネルリソースを確定する。または、ＳＣＣにおいて伝送する、ＰＤＣＣＨに対応するＰＤＳＣＨの場合、ＰＤＣＣＨをＰＣＣにおけるＭＰ個サブフレームにおける使用可能ダウンリンクサブフレームにて伝送する場合、ＰＤＣＣＨの最小ＣＣＥナンバーに基づいて、チャネルリソースを確定する。そうでない場合は、ＰＤＣＣＨにおけるＴＰＣフィールドに基づいて、チャネルリソースを確定する。
または、ＳＣＣにおいて伝送する、ＰＤＣＣＨに対応するＰＤＳＣＨの場合、ＭＰが０、ＭＳが０より大きい、かつＰＤＣＣＨをＰＣＣにおいて伝送する場合、ＰＤＣＣＨの最小ＣＣＥナンバーに基づいて、チャネルリソースを確定する。そうでない場合は、ＰＤＣＣＨにおけるＴＰＣフィールドに基づいて、チャネルリソースを確定する。
ここで、ＴＰＣフィールド上位層シグナルが事前に設定した複数組チャネルリソースにおける１組または複数チャネルリソースにおける１個を指し示す。
【０１８１】
Ｍが２より大きい場合、候補チャネルリソース確定ユニット７０２は、ＰＤＣＣＨの最小ＣＣＥナンバーに基づいて、チャネルリソースを確定し、前記ＰＤＣＣＨが、ＤＡＩ値が１であるＰＤＣＣＨまたはＤＡＩ値が２であるＰＤＣＣＨである。
【０１８２】
ＭＳが０である場合、候補チャネルリソース確定ユニット７０２はさらに、ＰＣＣにおけるＭＰ個ダウンリンクサブフレームにおけるＰＤＣＣＨの最小ＣＣＥナンバーのみに基づいて、ＭＰ個チャネルリソースより小さいと確定する。
【０１８３】
候補チャネルリソース確定ユニット６０２は、ＰＤＣＣＨの最小ＣＣＥナンバーに基づいて、チャネルリソースを確定する。具体的に、＜数６＞に基づいてチャネルリソースナンバーを確定することを備える。
【０１８４】
ここで、ＭＰ０は、ＰＣＣに対応するシステム情報に設定したＴＤＤアップ／ダウンリンク構成に基づいて確定した、現在アップリンクサブフレームに対応するダウンリンクインデックス集合に対K:｛ｋ0、ｋ１・・・ｋＭｐ0-１｝におけるエレメント個数である。
ｍは、ＰＣＣにおいて伝送するＰＤＣＣＨが位置するダウンリンクサブフレームｎ−ｋｍに対応するダウンリンクインデックスｋｍが集合Ｋにおける位置インデックスであり、且つ＜数７＞を満足する。
cは｛０，１，２，３｝から選択した、＜数８＞、＜数９＞を満たす値である。
【０１８５】
【数２３】
0006333349.tif 000028
【０１８６】
ＰＣＣに対応するシステム情報に設定したＴＤＤアップ／ダウンリンク構成がＴＤＤアップ／ダウンリンク構成０、かつＭＳ＞０である場合、ＭＰ0＝１、ｍ＝０であると確定できる。
【０１８７】
図８に示す、本発明に係る異なるアップ／ダウンリンク構成のキャリア・アグリゲーションフィードバックシステムは、端末設備８０１と、基地局８０２とを備える。
【０１８８】
前記端末設備８０１は、各キャリアに対応する時分割二重ＴＤＤアップ／ダウンリンク構成に基づいて、現在アップリンクサブフレームにてＡＣＫ／ＮＡＣＫフィードバックされるべきサブフレーム数Ｍを確定する。
サブフレーム数Ｍは、それぞれ各キャリアに対応するＴＤＤアップ／ダウンリンク構成に基づいて確定した、各キャリアにおける現在アップリンクサブフレームにてＡＣＫ／ＮＡＣＫフィードバックされるべきサブフレーム数の最大値である。
ここで、各キャリアに対応するシステム情報により設定したＴＤＤアップ／ダウンリンク構成には、少なくとも２種類のＴＤＤアップ／ダウンリンク構成が含まれる。
ＴＤＤアップ／ダウンリンク構成は、ＵＥが当該キャリアのＡＣＫ／ＮＡＣＫフィードバック情報を報告するタイミング関係を確定する。
Ｍ値に基づいて、現在アップリンクサブフレームにて伝送するＡＣＫ／ＮＡＣＫフィードバック情報を確定する。
Ｍ値に基づいて、チャネル選択の候補チャネルリソースを確定する。
候補チャネルリソースにおいて、チャネル選択にかかるＰＵＣＣＨ  ｆｏｒｍａｔ  １ｂにより、ＡＣＫ／ＮＡＣＫフィードバック情報を伝送する。
【０１８９】
前記基地局８０２は、各キャリアに対応する時分割二重ＴＤＤアップ／ダウンリンク構成に基づいて、現在アップリンクサブフレームにてＡＣＫ／ＮＡＣＫフィードバックされるべきサブフレーム数Ｍを確定する。
サブフレーム数Ｍは、それぞれ各キャリアに対応するＴＤＤアップ／ダウンリンク構成に基づいて確定した、各キャリアにおける現在アップリンクサブフレームにてＡＣＫ／ＮＡＣＫフィードバックされるべきサブフレーム数の最大値である。
Ｍ値に基づいて、チャネル選択の候補チャネルリソースを確定する。
候補チャネルリソースにおいてチャネル選択にかかるＰＵＣＣＨ  ｆｏｒｍａｔ  １ｂにより、ＡＣＫ／ＮＡＣＫフィードバック情報を受信する。
説明が必要な点として、前記実施形態の端末設備（ＵＥ）、基地局等ネットワーク側設備及びキャリア・アグリゲーションフィードバックシステムをＴＤＤキャリアとＦＤＤキャリア・アグリゲーションに適用する場合、ＴＤＤキャリアをＰＣＣとし、かつＦＤＤキャリアのＤＬ  ＨＡＲＱ  ｔｉｍｉｎｇは、ＴＤＤアップ／ダウンリンク構成のシーンに対応する。
【０１９０】
本発明に係る異なるアップ／ダウンリンク構成のキャリア・アグリゲーションのフィードバック方法、装置およびシステムによれば、各キャリアに対応するＵＥが当該キャリアのＡＣＫ／ＮＡＣＫフィードバック情報を報告するタイミング関係を確定するＴＤＤアップ／ダウンリンク構成に基づいて、現在アップリンクサブフレームにてＡＣＫ／ＮＡＣＫフィードバックされるべきサブフレーム数Ｍを確定する。さらに当該Ｍ値に基づいて、端末設備が現在アップリンクサブフレームにて伝送するＡＣＫ／ＮＡＣＫフィードバック情報およびチャネル選択の候補チャネルリソースを確定する。さらに候補チャネルリソースにおいて、チャネル選択にかかるＰＵＣＣＨ  ｆｏｒｍａｔ  １ｂにより、前記ＡＣＫ／ＮＡＣＫフィードバック情報を伝送する。
【０１９１】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１９２】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１９３】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１９４】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１９５】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１９６】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
0006333349.tif 000049
【図２】
0006333349.tif 000050
【図３】
0006333349.tif 000051
【図４】
0006333349.tif 000052
【図５】
0006333349.tif 000053
【図６】
0006333349.tif 000054
【図７】
0006333349.tif 000055
【図８】
0006333349.tif 000056